(57)【特許請求の範囲】
【請求項１】
ネットワークアクセス方法であって、
ゲートウェイ装置が、アクセスネットワーク装置によって送信されたアクセス要求情報を受信するステップであって、前記アクセス要求情報は、ユーザ機器がネットワークにアクセスすることを要求したときに、前記ユーザ機器により前記アクセスネットワーク装置に送信される、ステップと、
前記ゲートウェイ装置が、前記アクセス要求情報に従って、前記ユーザ機器に対してアクセス制御を実行するように制御サーバに要求するステップと、
前記ゲートウェイ装置が、前記制御サーバが前記ユーザ機器に対するアクセス制御の実行に失敗したと決定するステップと、
前記ゲートウェイ装置が、前記制御サーバが前記ユーザ機器に対するアクセス制御の実行に失敗したという決定結果に従って、前記ユーザ機器が前記ネットワークへのアクセスの要求に失敗したと決定するステップと、
前記ゲートウェイ装置が、前記アクセスネットワーク装置を用いて、前記ユーザ機器にアクセス応答情報を送信するステップであって、前記アクセス応答情報は、前記ユーザ機器が前記ネットワークへのアクセスの要求に成功したことを示す、ステップと、
を含み、
前記ゲートウェイ装置が、前記制御サーバが前記ユーザ機器に対するアクセス制御の実行に失敗したと決定する前記ステップは、
前記ゲートウェイ装置が、前記制御サーバが障害又はオーバーロードに遭遇し、結果として前記ユーザ機器に対するアクセス制御の実行に失敗したことを確認するステップ、
を含み、
前記ゲートウェイ装置が、前記制御サーバがオーバーロードに遭遇し、結果として前記ユーザ機器に対するアクセス制御の実行に失敗したことを確認した場合、
前記ユーザ機器によって送信されたハートビートパケットの前記ゲートウェイ装置によって検出されたデータトラフィックがデータトラフィック閾値よりも大きいか、又は、前記ユーザ機器によって送信され且つ前記ゲートウェイ装置によって検出されるデータコンテンツが、予め設定されたデータコンテンツである場合、前記ゲートウェイ装置が、前記ユーザ機器に対してアクセス制御を実行するように前記制御サーバをトリガするステップ、
を更に含む、方法。
【請求項２】
前記ゲートウェイ装置が、前記ユーザ機器に対してアクセス制御を実行するように前記制御サーバをトリガする前記ステップは、
前記ゲートウェイ装置が、前記アクセスネットワーク装置を用いて、前記ユーザ機器に無効化ベアラ要求情報を送信するステップであって、前記無効化ベアラ要求情報は、前記制御サーバが前記ユーザ機器に対して再びアクセス制御を実行できるように、前記ユーザ機器に前記アクセス要求情報の再送を指示するために用いられる、ステップ、
を含む、請求項１に記載の方法。
【請求項３】
前記ゲートウェイ装置が、前記ユーザ機器に対してアクセス制御を実行するように前記制御サーバをトリガする前記ステップは、
前記ゲートウェイ装置が、前記制御サーバに、前記ユーザ機器に対するアクセス制御の実行を再要求するステップ、
を含む、請求項１に記載の方法。
【請求項４】
前記制御サーバが前記ユーザ機器に対するアクセス制御の実行に成功した場合、前記ゲートウェイ装置が、前記ユーザ機器に、前記アクセスネットワーク装置を用いて、前記ユーザ機器が前記ネットワークへのアクセスに成功したことを示す情報を送信するステップ、
を更に含む、請求項２又は３に記載の方法。
【請求項５】
前記ゲートウェイ装置が、前記ユーザ機器により前記アクセスネットワーク装置を用いて送信された更新要求情報を受信するステップであって、前記更新要求情報は、前記ユーザ機器に、更新手順を開始して結果としてベアラの変更を要求するように指示するために用いられる、ステップと、
前記ゲートウェイ装置が、前記アクセスネットワーク装置を用いて、前記ユーザ機器に更新応答情報を送信するステップであって、前記更新応答情報は、前記ユーザ機器が前記ベアラの変更を要求することに成功したことを示すために用いられる、ステップと、
を更に含む、請求項１乃至３のいずれか一項に記載の方法。
【請求項６】
ネットワークアクセス方法であって、
ゲートウェイ装置が、アクセスネットワーク装置によって送信されたアクセス要求情報を受信するステップであって、前記アクセス要求情報は、ユーザ機器がネットワークにアクセスすることを要求したときに、前記ユーザ機器により前記アクセスネットワーク装置に送信される、ステップと、
前記ゲートウェイ装置が、前記アクセス要求情報に従って、前記ユーザ機器に対してアクセス制御を実行するように制御サーバに要求するステップと、
前記ゲートウェイ装置が、前記制御サーバが前記ユーザ機器に対するアクセス制御の実行に失敗したと決定するステップと、
前記ゲートウェイ装置が、前記制御サーバが前記ユーザ機器に対するアクセス制御の実行に失敗したという決定結果に従って、前記ユーザ機器が前記ネットワークへのアクセスの要求に失敗したと決定するステップと、
前記ゲートウェイ装置が、前記アクセスネットワーク装置を用いて、前記ユーザ機器にアクセス応答情報を送信するステップであって、前記アクセス応答情報は、前記ユーザ機器が前記ネットワークへのアクセスの要求に成功したことを示す、ステップと、
を含み、
前記ゲートウェイ装置が、前記ユーザ機器により前記アクセスネットワーク装置を用いて送信されたオフライン要求情報を受信するステップであって、前記オフライン要求情報は、前記ユーザ機器に前記ネットワークからの退出を要求するように指示するために用いられる、ステップと、
前記ゲートウェイ装置が、前記アクセスネットワーク装置を用いて、前記ユーザ機器にオフライン応答情報を送信するステップであって、前記オフライン応答情報は、前記ユーザ機器が前記ネットワークからの退出を要求することに成功したことを示すために用いられる、ステップと、
を更に含む、方法。
【請求項７】
前記ゲートウェイ装置が、前記アクセス要求情報に従って、前記ユーザ機器に対してアクセス制御を実行するように制御サーバに要求する前記ステップは、
前記ゲートウェイ装置が、前記制御サーバにセッション作成要求情報を送信するステップであって、前記セッション作成要求情報は、前記制御サーバに前記ユーザ機器に対するアクセス制御の実行を要求するために用いられる、ステップ、
を含み、
前記ゲートウェイ装置が前記制御サーバがオーバーロードに遭遇したことを確認する前記ステップは、
前記ゲートウェイ装置が、前記制御サーバによって送信されたセッション作成応答情報を受信するステップであって、前記セッション作成応答情報は、前記制御サーバがオーバーロード状態であり、前記ユーザ機器に対するアクセス制御の実行を拒否したことを示すために用いられる、ステップ、
を含む、請求項１乃至５のいずれか一項に記載の方法。
【請求項８】
前記ゲートウェイ装置が、前記アクセス要求情報に従って、前記ユーザ機器に対してアクセス制御を実行するように制御サーバに要求する前記ステップは、
前記ゲートウェイ装置が、前記制御サーバにセッション作成要求情報を送信するステップであって、前記セッション作成要求情報は、前記制御サーバに前記ユーザ機器に対するアクセス制御の実行を要求するために用いられる、ステップ、
を含み、
前記ゲートウェイ装置が前記制御サーバが障害に遭遇したことを確認する前記ステップは、
前記ゲートウェイ装置が、前記セッション作成要求情報の送信後の予め設定された時間内に、前記制御サーバの応答情報を受信しなかった場合、前記ゲートウェイ装置が、前記制御サーバが障害に遭遇したことを確認するステップ、
を含む、請求項１乃至５のいずれか一項に記載の方法。
【請求項９】
アクセスネットワーク装置によって送信されたアクセス要求情報を受信するように構成される受信ユニットであって、前記アクセス要求情報は、ユーザ機器がネットワークにアクセスすることを要求したときに、前記ユーザ機器により前記アクセスネットワーク装置に送信される、受信ユニットと、
前記アクセス要求情報に従って、前記ユーザ機器に対してアクセス制御を実行するように制御サーバに要求するように構成される送信ユニットと、
前記制御サーバが前記ユーザ機器に対するアクセス制御の実行に失敗したと決定するように構成される処理ユニットと、
を備えるゲートウェイ装置であって、
前記処理ユニットは更に、前記制御サーバが前記ユーザ機器に対するアクセス制御の実行に失敗したという決定結果に従って、前記ユーザ機器が前記ネットワークへのアクセスの要求に失敗したと決定するように構成され、
前記送信ユニットは更に、前記アクセスネットワーク装置を用いて、前記ユーザ機器にアクセス応答情報を送信するように構成され、前記アクセス応答情報は、前記ユーザ機器が前記ネットワークへのアクセスの要求に成功したことを示し、
前記処理ユニットが、前記制御サーバが前記ユーザ機器に対するアクセス制御の実行に失敗したと決定するように構成されることは、
前記制御サーバが障害又はオーバーロードに遭遇し、結果として前記ユーザ機器に対するアクセス制御の実行に失敗したことを確認すること、
を含み、
前記処理ユニットは更に、前記ユーザ機器によって送信されたハートビートパケットのデータトラフィック、又は前記ユーザ機器によって送信されたデータコンテンツを検出するように構成され、
前記制御サーバがオーバーロードに遭遇し、結果として前記ユーザ機器に対するアクセス制御の実行に失敗した場合、前記ユーザ機器によって送信されたハートビートパケットの検出された前記データトラフィックがデータトラフィック閾値よりも大きいこと、又は前記ユーザ機器によって送信された検出された前記データコンテンツが予め設定されたデータコンテンツであることを満たすとき、前記処理ユニットは更に、前記ユーザ機器に対してアクセス制御を実行するように前記制御サーバをトリガするように構成される、
ゲートウェイ装置。
【請求項１０】
前記処理ユニットが更に、前記ユーザ機器に対してアクセス制御を実行するように前記制御サーバをトリガするように構成されることは、
前記アクセスネットワーク装置を用いて前記ユーザ機器に無効化ベアラ要求情報を送信するように、前記送信ユニットを制御することを含み、前記無効化ベアラ要求情報は、前記制御サーバが前記ユーザ機器に対して再びアクセス制御を実行できるように、前記ユーザ機器に前記アクセス要求情報の再送を指示するために用いられる、
請求項９に記載のゲートウェイ装置。
【請求項１１】
前記処理ユニットが更に、前記ユーザ機器に対してアクセス制御を実行するように前記制御サーバをトリガするように構成されることは、
前記制御サーバに前記ユーザ機器に対するアクセス制御の実行を再要求するように、前記送信ユニットを制御することを含む、
請求項９に記載のゲートウェイ装置。
【請求項１２】
前記制御サーバが前記ユーザ機器に対するアクセス制御の実行に成功した場合、前記送信ユニットは更に、前記ユーザ機器に、前記アクセスネットワーク装置を用いて、前記ユーザ機器が前記ネットワークへのアクセスに成功したことを示す情報を送信するように構成される、
請求項１０又は１１に記載のゲートウェイ装置。
【請求項１３】
前記受信ユニットは更に、前記ユーザ機器により前記アクセスネットワーク装置を用いて送信された更新要求情報を受信するように構成され、前記更新要求情報は、前記ユーザ機器に、更新手順を開始して結果としてベアラの変更を要求するように指示するために用いられ、
前記送信ユニットは更に、前記ユーザ機器に、前記アクセスネットワーク装置を用いて、更新応答情報を送信するように構成され、前記更新応答情報は、前記ユーザ機器が前記ベアラの変更を要求することに成功したことを示すために用いられる、
請求項９乃至１１のいずれか一項に記載のゲートウェイ装置。
【請求項１４】
アクセスネットワーク装置によって送信されたアクセス要求情報を受信するように構成される受信ユニットであって、前記アクセス要求情報は、ユーザ機器がネットワークにアクセスすることを要求したときに、前記ユーザ機器により前記アクセスネットワーク装置に送信される、受信ユニットと、
前記アクセス要求情報に従って、前記ユーザ機器に対してアクセス制御を実行するように制御サーバに要求するように構成される送信ユニットと、
前記制御サーバが前記ユーザ機器に対するアクセス制御の実行に失敗したと決定するように構成される処理ユニットと、
を備えるゲートウェイ装置であって、
前記処理ユニットは更に、前記制御サーバが前記ユーザ機器に対するアクセス制御の実行に失敗したという決定結果に従って、前記ユーザ機器が前記ネットワークへのアクセスの要求に失敗したと決定するように構成され、
前記送信ユニットは更に、前記アクセスネットワーク装置を用いて、前記ユーザ機器にアクセス応答情報を送信するように構成され、前記アクセス応答情報は、前記ユーザ機器が前記ネットワークへのアクセスの要求に成功したことを示し、
前記受信ユニットは更に、前記ユーザ機器により前記アクセスネットワーク装置を用いて送信されたオフライン要求情報を受信するように構成され、前記オフライン要求情報は、前記ユーザ機器に前記ネットワークからの退出を要求するように指示するために用いられ、
前記送信ユニットは更に、前記アクセスネットワーク装置を用いて、前記ユーザ機器にオフライン応答情報を送信するように構成され、前記オフライン応答情報は、前記ユーザ機器が前記ネットワークからの退出を要求することに成功したことを示すために用いられる、
ゲートウェイ装置。
【請求項１５】
前記送信ユニットが、前記アクセス要求情報に従って、前記ユーザ機器に対してアクセス制御を実行するように制御サーバに要求するように構成されることは、
前記制御サーバにセッション作成要求情報を送信することであって、前記セッション作成要求情報は、前記制御サーバに前記ユーザ機器に対するアクセス制御の実行を要求するために用いられること、を含み、
前記処理ユニットが前記制御サーバがオーバーロードに遭遇したことを確認するように構成されることは、
前記送信ユニットが前記制御サーバによって送信されたセッション作成応答情報を受信したことを確認することであって、前記セッション作成応答情報は、前記制御サーバがオーバーロード状態であり、前記ユーザ機器に対するアクセス制御の実行を拒否したことを示すために用いられること、を含む、
請求項９乃至１３のいずれか一項に記載のゲートウェイ装置。
【請求項１６】
前記送信ユニットが、前記アクセス要求情報に従って、前記ユーザ機器に対してアクセス制御を実行するように制御サーバに要求するように構成されることは、
前記制御サーバにセッション作成要求情報を送信することであって、前記セッション作成要求情報は、前記制御サーバに前記ユーザ機器に対するアクセス制御の実行を要求するために用いられること、を含み、
前記処理ユニットが前記制御サーバが障害に遭遇したことを確認するように構成されることは、
前記セッション作成要求情報の送信後の予め設定された時間内に前記受信ユニットが前記制御サーバの応答情報を受信しなかったことを確認すること、を含む、
請求項９乃至１３のいずれか一項に記載のゲートウェイ装置。
【請求項１７】
ネットワークアクセス方法であって、
アクセスネットワーク装置が、ユーザ機器によって送信されたアクセス要求情報を受信するステップであって、前記アクセス要求情報はネットワークへのアクセスを要求するために用いられる、ステップと、
前記アクセスネットワーク装置が、前記アクセス要求情報をゲートウェイ装置に送信するステップであって、それにより前記ゲートウェイ装置は、前記アクセス要求情報に従って、制御サーバに前記ユーザ機器に対するアクセス制御の実行を要求できる、ステップと、
前記アクセスネットワーク装置が、前記ゲートウェイ装置によって送信されたアクセス応答情報を受信するステップであって、前記アクセス応答情報は、前記ユーザ機器が前記ネットワークへのアクセスを要求することに成功したことを示すために用いられ、前記アクセス応答情報は、前記ゲートウェイ装置が、前記制御サーバが前記ユーザ機器に対するアクセス制御の実行に失敗し、結果として前記ユーザ機器が前記ネットワークへのアクセスの要求に失敗したと決定したときに、前記ゲートウェイ装置によって送信される、ステップと、
前記アクセスネットワーク装置が、前記ユーザ機器に前記アクセス応答情報を送信するステップと、
を含み、
前記制御サーバが前記ユーザ機器に対するアクセス制御の実行に失敗したことは、
前記制御サーバが障害又はオーバーロードに遭遇し、結果として前記ユーザ機器に対するアクセス制御の実行に失敗したことを含み、
前記制御サーバがオーバーロードに遭遇し、結果として前記ユーザ機器に対するアクセス制御の実行に失敗したとき、前記ユーザ機器によって送信されたハートビートパケットの前記ゲートウェイ装置によって検出されたデータトラフィックがデータトラフィック閾値よりも大きいか、又は、前記ユーザ機器によって送信され且つ前記ゲートウェイ装置によって検出されるデータコンテンツが、予め設定されたデータコンテンツである場合、前記アクセスネットワーク装置が、前記ゲートウェイ装置によって送信された無効化ベアラ要求情報を受信するステップであって、前記無効化ベアラ要求情報は、前記制御サーバが前記ユーザ機器に対して再びアクセス制御を実行できるように、前記ユーザ機器に前記アクセス要求情報の再送を指示するために用いられる、ステップと、
前記アクセスネットワーク装置が、前記ユーザ機器に前記無効化ベアラ要求情報を送信するステップと、
を更に含む、方法。
【請求項１８】
前記制御サーバが前記ユーザ機器に対するアクセス制御の実行に成功した場合、前記アクセスネットワーク装置が、前記ゲートウェイ装置によって送信され且つ前記ユーザ機器が前記ネットワークへのアクセスに成功したことを示す情報を受信するステップと、
前記アクセスネットワーク装置が、前記ユーザ機器に、前記ユーザ機器が前記ネットワークへのアクセスに成功したことを示す前記情報を送信するステップと、
を更に含む、請求項１７に記載の方法。
【請求項１９】
前記アクセスネットワーク装置が、前記ゲートウェイ装置に更新要求情報を送信するステップであって、前記更新要求情報は、前記ユーザ機器が更新手順を開始して結果としてベアラの変更を要求するときに、前記ユーザ機器により前記アクセスネットワーク装置に送信される、ステップと、
前記アクセスネットワーク装置が、前記ゲートウェイ装置によって送信された更新応答情報を受信するステップであって、前記更新応答情報は、前記ユーザ機器が前記ベアラの変更を要求することに成功したことを示すために用いられる、ステップと、
を更に含む、請求項１７に記載の方法。
【請求項２０】
ネットワークアクセス方法であって、
アクセスネットワーク装置が、ユーザ機器によって送信されたアクセス要求情報を受信するステップであって、前記アクセス要求情報はネットワークへのアクセスを要求するために用いられる、ステップと、
前記アクセスネットワーク装置が、前記アクセス要求情報をゲートウェイ装置に送信するステップであって、それにより前記ゲートウェイ装置は、前記アクセス要求情報に従って、制御サーバに前記ユーザ機器に対するアクセス制御の実行を要求できる、ステップと、
前記アクセスネットワーク装置が、前記ゲートウェイ装置によって送信されたアクセス応答情報を受信するステップであって、前記アクセス応答情報は、前記ユーザ機器が前記ネットワークへのアクセスを要求することに成功したことを示すために用いられ、前記アクセス応答情報は、前記ゲートウェイ装置が、前記制御サーバが前記ユーザ機器に対するアクセス制御の実行に失敗し、結果として前記ユーザ機器が前記ネットワークへのアクセスの要求に失敗したと決定したときに、前記ゲートウェイ装置によって送信される、ステップと、
前記アクセスネットワーク装置が、前記ユーザ機器に前記アクセス応答情報を送信するステップと、
を含み、
前記アクセスネットワーク装置が、前記ゲートウェイ装置にオフライン要求情報を送信するステップであって、前記オフライン要求情報は、前記ユーザ機器が前記ネットワークからの退出を要求するときに、前記ユーザ機器により前記アクセスネットワーク装置に送信される、ステップと、
前記アクセスネットワーク装置が、前記ゲートウェイ装置によって送信されたオフライン応答情報を受信するステップであって、前記オフライン応答情報は、前記ユーザ機器が前記ネットワークからの退出を要求することに成功したことを示すために用いられる、ステップと、
を更に含む、方法。
【請求項２１】
ユーザ機器によって送信されたアクセス要求情報を受信するように構成される受信ユニットであって、前記アクセス要求情報はネットワークへのアクセスを要求するために用いられる、受信ユニットと、
前記アクセス要求情報をゲートウェイ装置に送信するように構成される送信ユニットであって、それにより前記ゲートウェイ装置は、前記アクセス要求情報に従って、制御サーバに前記ユーザ機器に対するアクセス制御の実行を要求できる、送信ユニットと、
を備えるアクセスネットワーク装置であって、
前記受信ユニットは更に、前記ゲートウェイ装置によって送信されたアクセス応答情報を受信するように構成され、前記アクセス応答情報は、前記ユーザ機器が前記ネットワークへのアクセスを要求することに成功したことを示すために用いられ、前記アクセス応答情報は、前記ゲートウェイ装置が、前記制御サーバが前記ユーザ機器に対するアクセス制御の実行に失敗し、結果として前記ユーザ機器が前記ネットワークへのアクセスの要求に失敗したと決定したときに、前記ゲートウェイ装置によって送信され、
前記送信ユニットは更に、前記ユーザ機器に前記アクセス応答情報を送信するように構成され、
前記制御サーバが前記ユーザ機器に対するアクセス制御の実行に失敗したことは、
前記制御サーバが障害又はオーバーロードに遭遇し、結果として前記ユーザ機器に対するアクセス制御の実行に失敗したことを含み、
前記制御サーバがオーバーロードに遭遇し、結果として前記ユーザ機器に対するアクセス制御の実行に失敗したとき、前記ユーザ機器によって送信されたハートビートパケットの前記ゲートウェイ装置によって検出されたデータトラフィックがデータトラフィック閾値よりも大きいこと、又は前記ユーザ機器によって送信され且つ前記ゲートウェイ装置によって検出されるデータコンテンツが予め設定されたデータコンテンツであることが満たされるとき、前記受信ユニットは更に、前記ゲートウェイ装置によって送信された無効化ベアラ要求情報を受信するように構成され、前記無効化ベアラ要求情報は、前記制御サーバが前記ユーザ機器に対して再びアクセス制御を実行できるように、前記ユーザ機器に前記アクセス要求情報の再送を指示するために用いられ、
前記送信ユニットは更に、前記ユーザ機器に前記無効化ベアラ要求情報を送信するように構成される、
アクセスネットワーク装置。
【請求項２２】
前記制御サーバが前記ユーザ機器に対するアクセス制御の実行に成功した場合、前記受信ユニットは更に、前記ゲートウェイ装置によって送信され且つ前記ユーザ機器が前記ネットワークへのアクセスに成功したことを示す情報を受信するように構成され、
前記送信ユニットは更に、前記ユーザ機器に、前記ユーザ機器が前記ネットワークへのアクセスに成功したことを示す前記情報を送信するように構成される、
請求項２１に記載のアクセスネットワーク装置。
【請求項２３】
前記送信ユニットは更に、前記ゲートウェイ装置に更新要求情報を送信するように構成され、前記更新要求情報は、前記ユーザ機器が更新手順を開始して結果としてベアラの変更を要求するときに、前記ユーザ機器により前記アクセスネットワーク装置に送信され、
前記受信ユニットは更に、前記ゲートウェイ装置によって送信された更新応答情報を受信するように構成され、前記更新応答情報は、前記ユーザ機器が前記ベアラの変更を要求することに成功したことを示すために用いられる、
請求項２１に記載のアクセスネットワーク装置。
【請求項２４】
ユーザ機器によって送信されたアクセス要求情報を受信するように構成される受信ユニットであって、前記アクセス要求情報はネットワークへのアクセスを要求するために用いられる、受信ユニットと、
前記アクセス要求情報をゲートウェイ装置に送信するように構成される送信ユニットであって、それにより前記ゲートウェイ装置は、前記アクセス要求情報に従って、制御サーバに前記ユーザ機器に対するアクセス制御の実行を要求できる、送信ユニットと、
を備えるアクセスネットワーク装置であって、
前記受信ユニットは更に、前記ゲートウェイ装置によって送信されたアクセス応答情報を受信するように構成され、前記アクセス応答情報は、前記ユーザ機器が前記ネットワークへのアクセスを要求することに成功したことを示すために用いられ、前記アクセス応答情報は、前記ゲートウェイ装置が、前記制御サーバが前記ユーザ機器に対するアクセス制御の実行に失敗し、結果として前記ユーザ機器が前記ネットワークへのアクセスの要求に失敗したと決定したときに、前記ゲートウェイ装置によって送信され、
前記送信ユニットは更に、前記ユーザ機器に前記アクセス応答情報を送信するように構成され、
前記送信ユニットは更に、前記ゲートウェイ装置にオフライン要求情報を送信するように構成され、前記オフライン要求情報は、前記ユーザ機器が前記ネットワークからの退出を要求するときに、前記ユーザ機器により前記アクセスネットワーク装置に送信され、
前記受信ユニットは更に、前記ゲートウェイ装置によって送信されたオフライン応答情報を受信するように構成され、前記オフライン応答情報は、前記ユーザ機器が前記ネットワークからの退出を要求することに成功したことを示すために用いられる、
アクセスネットワーク装置。
【発明の詳細な説明】
【技術分野】
【０００１】
本発明は、通信技術の分野に関し、特に、ネットワークアクセス方法及び装置に関する。
【背景技術】
【０００２】
インテリジェント端末の普及とデータサービスの発展に伴い、端末に対するサービスがますます多くなるにつれて、ネットワークから定期的に情報を取得する必要がある。更に、端末とネットワークとの間にデータ伝送があるかどうかに関わらず、端末はネットワークに接続されたままである必要がある。例えば、ロングタームエボリューション（ＬＴＥ，long  term  evolution）システムでは、端末は、アタッチ手順（attach  procedure）を開始することにより、ネットワークにアクセスすることを要求する。この手順では、ゲートウェイ装置は、ポリシー及び課金ルール機能（ＰＣＲＦ，policy  and  charging  rules  function）エンティティなどの制御サーバとインタラクトする。インタラクションが成功すると、端末はアタッチ手順を完了し、ネットワークに正常にアクセスすることができる。
【０００３】
しかしながら、制御サーバが問題に遭遇すると、端末はネットワークへのアクセスを要求しない。この場合、端末は、自動的且つ反復的にアタッチ手順を開始し、ネットワーク側のシグナリングトラフィックを連続的に蓄積させる。その結果、ネットワークシグナリングストームが形成され、最終的にネットワークの輻輳が発生してしまう。
【発明の概要】
【０００４】
これに鑑みて、本発明の実施形態は、ネットワーク輻輳を緩和するためのネットワークアクセス方法及び装置を提供する。
【０００５】
第１の態様によれば、本発明の実施形態は、ネットワークアクセス方法を提供する。本方法は、ゲートウェイ装置が、アクセスネットワーク装置によって送信されたアクセス要求情報を受信するステップであって、アクセス要求情報は、ユーザ機器がネットワークにアクセスすることを要求したときに、ユーザ機器によりアクセスネットワーク装置に送信される、ステップと、ゲートウェイ装置が、アクセス要求情報に従って、ユーザ機器に対してアクセス制御を実行するように制御サーバに要求するステップと、ゲートウェイ装置が、制御サーバがユーザ機器に対するアクセス制御の実行に失敗したと決定するステップと、ゲートウェイ装置が、制御サーバがユーザ機器に対するアクセス制御の実行に失敗したというゲートウェイ装置による決定結果に従って、ユーザ機器がネットワークへのアクセスの要求に失敗したと決定するステップと、ゲートウェイ装置が、アクセスネットワーク装置を用いて、ユーザ機器にアクセス応答情報を送信するステップであって、アクセス応答情報は、ユーザ機器がネットワークへのアクセスの要求に成功したことを示す、ステップと、を含む。
【０００６】
本発明の本実施形態で提供される上記の技術的解決策により、ユーザ機器がネットワークへのアクセスの要求に失敗したとき、ゲートウェイ装置は、ユーザ機器がネットワークへのアクセスを要求することに成功したことを示すアクセス応答を依然として送信する。本技術的解決策により、ユーザ機器ネットワークへのアクセスに失敗したことを理由に、ユーザ機器がネットワークのアクセスを繰り返し試みることが防止される。よって、結果として生じるネットワークシグナリングストームが効果的に解決され、ネットワーク輻輳が更に緩和される。
【０００７】
第１の態様に関して、第１の可能な実施方式では、ゲートウェイ装置が、制御サーバがユーザ機器に対するアクセス制御の実行に失敗したと決定するステップは、ゲートウェイ装置が、制御サーバが障害又はオーバーロードに遭遇し、結果としてユーザ機器に対するアクセス制御の実行に失敗したことを確認するステップ、を含む。
【０００８】
第１の態様と上記の実施方式に関して、第１の態様の可能な第２の実施方式では、本方法は更に、ゲートウェイ装置が、制御サーバの障害が修正され、又はゲートウェイ装置のオーバーロードが解消されたことを確認するステップと、ゲートウェイ装置が、ユーザ機器に対してアクセス制御を実行するように制御サーバをトリガするステップと、を含む。
【０００９】
第１の態様と上記の実施方式に関して、第１の態様の第３の実施方式では、ゲートウェイ装置が、制御サーバがオーバーロードに遭遇し、結果としてユーザ機器に対するアクセス制御の実行に失敗したことを確認した場合、本方法は更に、ユーザ機器によって送信されたハートビートパケットのゲートウェイ装置によって検出されたデータトラフィックがデータトラフィック閾値よりも大きいか、又は、ユーザ機器によって送信され且つゲートウェイ装置によって検出されるデータコンテンツが、予め設定されたデータコンテンツである場合、ゲートウェイ装置が、ユーザ機器に対してアクセス制御を実行するように制御サーバをトリガするステップ、を含む。
【００１０】
第１の態様と上記の実施方式に関して、第１の態様の第４の実施方式では、ゲートウェイ装置が、ユーザ機器に対してアクセス制御を実行するように制御サーバをトリガするステップは、ゲートウェイ装置が、アクセスネットワーク装置を用いて、ユーザ機器に無効化ベアラ要求情報を送信するステップであって、無効化ベアラ要求情報は、制御サーバがユーザ機器に対して再びアクセス制御を実行できるように、ユーザ機器にアクセス要求情報の再送を指示するために用いられる、ステップ、を含む。
【００１１】
第１の態様と上記の実施方式に関して、第１の態様の第５の実施方式では、ゲートウェイ装置が、ユーザ機器に対してアクセス制御を実行するように制御サーバをトリガするステップは、ゲートウェイ装置が、制御サーバに、ユーザ機器に対するアクセス制御の実行を再要求するステップ、を含む。
【００１２】
本発明の本実施形態で提供される上記の技術的解決策により、ユーザ機器が偽起動された後、ユーザ機器がネットワークにアクセスすることができる場合、ユーザ機器はネットワークに正常にアクセスするように適時に支援される。それにより、ユーザ機器のネットワークアクセスへの影響が低減され、解決策の柔軟性が向上する。
【００１３】
第１の態様と上記の実施方式に関して、第１の態様の第６の実施方式では、本方法は更に、制御サーバがユーザ機器に対するアクセス制御の実行に成功した場合、ゲートウェイ装置が、ユーザ機器に、アクセスネットワーク装置を用いて、ユーザ機器がネットワークへのアクセスに成功したことを示す情報を送信するステップ、を含む。
【００１４】
第１の態様と上記の実施方式に関して、第１の態様の第７の実施方式では、本方法は更に、ゲートウェイ装置が、ユーザ機器によりアクセスネットワーク装置を用いて送信された更新要求情報を受信するステップであって、更新要求情報は、ユーザ機器に、更新手順を開始してベアラの変更を要求するように指示するために用いられる、ステップと、ゲートウェイ装置が、アクセスネットワーク装置を用いて、ユーザ機器に更新応答情報を送信するステップであって、更新応答情報は、ユーザ機器がベアラの変更を要求することに成功したことを示すために用いられる、ステップと、を含む。
【００１５】
第１の態様と上記の実施方式に関して、第１の態様の第８の実施方式では、本方法は更に、ゲートウェイ装置が、ユーザ機器によりアクセスネットワーク装置を用いて送信されたオフライン要求情報を受信するステップであって、オフライン要求情報は、ユーザ機器にネットワークからの退出を要求するように指示するために用いられる、ステップと、ゲートウェイ装置が、アクセスネットワーク装置を用いて、ユーザ機器にオフライン応答情報を送信するステップであって、オフライン応答情報は、ユーザ機器がネットワークからの退出を要求することに成功したことを示すために用いられる、ステップと、を含む。
【００１６】
本発明の本実施形態で提供される上記の技術的解決策により、ゲートウェイ装置がユーザ機器を偽起動した後に、ユーザ機器がベアラの更新を要求するための更新手順を開始するか、又はネットワークからの退出を要求すると、ゲートウェイ装置及びアクセスネットワーク装置は、通常の手順に従って、ユーザ機器の更新要求及びオフライン要求を処理する。技術的解決策の柔軟性が反映される。特に、ユーザ機器がベアラの変更を要求するために更新手順を開始するときに実行される動作により、ユーザ機器が、該ユーザ機器がネットワークに接続していないことを更新障害から知ることが妨げられる。その結果、ユーザ機器はアタッチ手順を再び開始する。結果として、シグナリングトラフィックが増加し、ネットワークの輻輳が引き起こされてしまう。
【００１７】
第１の態様と上記の実施方式に関して、第１の態様の第９の実施方式では、ゲートウェイ装置が、アクセス要求情報に従って、ユーザ機器に対してアクセス制御を実行するように制御サーバに要求するステップは、ゲートウェイ装置が、制御サーバにセッション作成要求情報を送信するステップであって、セッション作成要求情報は、制御サーバにユーザ機器に対するアクセス制御の実行を要求するために用いられる、ステップを含む。ゲートウェイ装置が制御サーバがオーバーロードに遭遇したことを確認するステップは、ゲートウェイ装置が、制御サーバによって送信されたセッション作成応答情報を受信するステップであって、セッション作成応答情報は、制御サーバがオーバーロード状態であり、ユーザ機器に対するアクセス制御の実行を拒否したことを示すために用いられる、ステップを含む。
【００１８】
第１の態様と上記の実施方式に関して、第１の態様の第１０の実施方式では、ゲートウェイ装置が、アクセス要求情報に従って、ユーザ機器に対してアクセス制御を実行するように制御サーバに要求するステップは、ゲートウェイ装置が、制御サーバにセッション作成要求情報を送信するステップであって、セッション作成要求情報は、制御サーバにユーザ機器に対するアクセス制御の実行を要求するために用いられる、ステップを含む。ゲートウェイ装置が制御サーバが障害に遭遇したことを確認するステップは、ゲートウェイ装置が、セッション作成要求情報の送信後の予め設定された時間内に、制御サーバの応答情報を受信しなかった場合、ゲートウェイ装置が、制御サーバが障害に遭遇したことを確認するステップ、を含む。
【００１９】
第２の態様によれば、本発明の実施形態はゲートウェイ装置を提供する。本ゲートウェイ装置は、アクセスネットワーク装置によって送信されたアクセス要求情報を受信するように構成される受信ユニットであって、アクセス要求情報は、ユーザ機器がネットワークにアクセスすることを要求したときに、ユーザ機器によりアクセスネットワーク装置に送信される、受信ユニットと、アクセス要求情報に従って、ユーザ機器に対してアクセス制御を実行するように制御サーバに要求するように構成される送信ユニットと、制御サーバがユーザ機器に対するアクセス制御の実行に失敗したと決定するように構成される処理ユニットと、を備える。処理ユニットは更に、ゲートウェイ装置が、制御サーバがユーザ機器に対するアクセス制御の実行に失敗したという決定結果に従って、ユーザ機器がネットワークへのアクセスの要求に失敗したと決定するように構成される。送信ユニットは更に、アクセスネットワーク装置を用いて、ユーザ機器にアクセス応答情報を送信するように構成され、アクセス応答情報は、ユーザ機器がネットワークへのアクセスの要求に成功したことを示す。
【００２０】
本発明の本実施形態で提供されるゲートウェイ装置により、ユーザ機器がネットワークへのアクセスの要求に失敗したとき、ゲートウェイ装置は、ユーザ機器がネットワークへのアクセスを要求することに成功したことを示すアクセス応答情報を依然として送信する。本技術的解決策により、ユーザ機器ネットワークへのアクセスに失敗したことを理由に、ユーザ機器がネットワークのアクセスを繰り返し試みることが防止される、よって、結果として生じるネットワークシグナリングストームが効果的に解決され、ネットワーク輻輳が更に緩和される。
【００２１】
第２の態様に関して、第１の可能な実施方式では、処理ユニットが制御サーバがユーザ機器に対するアクセス制御の実行に失敗したと決定するように構成されることは、制御サーバが障害又はオーバーロードに遭遇し、結果としてユーザ機器に対するアクセス制御の実行に失敗したことを確認することを含む。
【００２２】
第２の態様と上記の実施方式に関して、第２の態様の第２の実施方式では、処理ユニットは更に、制御サーバの障害が修正され、又はゲートウェイ装置のオーバーロードが解消されたことを確認するように構成される。処理ユニットは更に、ユーザ機器に対してアクセス制御を実行するように制御サーバをトリガするように構成される。
【００２３】
第２の態様と上記の実施方式に関して、第２の態様の第３の実施方式では、処理ユニットは更に、ユーザ機器によって送信されたハートビートパケットのデータトラフィック、又はユーザ機器によって送信されたデータコンテンツを検出するように構成される。制御サーバがオーバーロードに遭遇し、結果としてユーザ機器に対するアクセス制御の実行に失敗した場合、ユーザ機器によって送信されたハートビートパケットの検出されたデータトラフィックがデータトラフィック閾値よりも大きいこと、又はユーザ機器によって送信された検出されたデータコンテンツが予め設定されたデータコンテンツであることを満たすとき、処理ユニットは更に、ユーザ機器に対してアクセス制御を実行するように制御サーバをトリガするように構成される。
【００２４】
第２の態様と上記の実施方式に関して、第２の態様の第４の実施方式では、処理ユニットが更に、ユーザ機器に対してアクセス制御を実行するように制御サーバをトリガするように構成されることは、
アクセスネットワーク装置を用いてユーザ機器に無効化ベアラ要求情報を送信するように、送信ユニットを制御することを含み、無効化ベアラ要求情報は、制御サーバがユーザ機器に対して再びアクセス制御を実行できるように、ユーザ機器にアクセス要求情報の再送を指示するために用いられる。
【００２５】
第２の態様と上記の実施方式に関して、第２の態様の第５の実施方式では、処理ユニットが更に、ユーザ機器に対してアクセス制御を実行するように制御サーバをトリガするように構成されることは、
制御サーバにユーザ機器に対するアクセス制御の実行を再要求するように、送信ユニットを制御することを含む。
【００２６】
本発明の本実施形態で提供されるゲートウェイ装置により、ユーザ機器が偽起動された後、ユーザ機器がネットワークにアクセスすることができる場合、ユーザ機器はネットワークに正常にアクセスするように適時に支援される、それにより、ユーザ機器のネットワークアクセスへの影響が低減され、解決策の柔軟性が向上する。
【００２７】
第２の態様と上記の実施方式に関して、第２の態様の第６の実施方式では、制御サーバがユーザ機器に対するアクセス制御の実行に成功した場合、送信ユニットは更に、ユーザ機器に、アクセスネットワーク装置を用いて、ユーザ機器がネットワークへのアクセスに成功したことを示す情報を送信するように構成される。
【００２８】
第２の態様と上記の実施方式に関して、第２の態様の第７の実施方式では、受信ユニットは更に、ユーザ機器によりアクセスネットワーク装置を用いて送信された更新要求情報を受信するように構成され、更新要求情報は、ユーザ機器に、更新手順を開始してベアラの変更を要求するように指示するために用いられる。送信ユニットは更に、ユーザ機器に、アクセスネットワーク装置を用いて、更新応答情報を送信するように構成され、更新応答情報は、ユーザ機器がベアラの変更を要求することに成功したことを示すために用いられる。
【００２９】
第２の態様と上記の実施方式に関して、第２の態様の第８の実施方式では、受信ユニットは更に、ユーザ機器によりアクセスネットワーク装置を用いて送信されたオフライン要求情報を受信するように構成され、オフライン要求情報は、ユーザ機器にネットワークからの退出を要求するように指示するために用いられる。送信ユニットは更に、アクセスネットワーク装置を用いて、ユーザ機器にオフライン応答情報を送信するように構成され、オフライン応答情報は、ユーザ機器がネットワークからの退出を要求することに成功したことを示すために用いられる。
【００３０】
本発明の本実施形態で提供されるゲートウェイ装置により、ユーザ機器の更新要求及びオフライン要求を通常の手順に従って処理することができる。技術的解決策の柔軟性が反映される。特に、ユーザ機器が更新手順を開始するときに実行される動作により、ユーザ機器が、該ユーザ機器がネットワークに接続していないことを更新障害から知ることが妨げられる。その結果、ユーザ機器はアタッチ手順を再び開始する。結果として、シグナリングトラフィックが増加し、ネットワークの輻輳が引き起こされてしまう。
【００３１】
第２の態様と上記の実施方式に関して、第２の態様の第９の実施方式では、送信ユニットが、アクセス要求情報に従って、ユーザ機器に対してアクセス制御を実行するように制御サーバに要求するように構成されることは、制御サーバにセッション作成要求情報を送信することを含み、セッション作成要求情報は、制御サーバにユーザ機器に対するアクセス制御の実行を要求するために用いられる。処理ユニットが制御サーバにオーバーロードに遭遇したことを確認するように構成されることは、送信ユニットが制御サーバによって送信されたセッション作成応答情報を受信したことを確認することを含み、セッション作成応答情報は、制御サーバがオーバーロード状態であり、ユーザ機器に対するアクセス制御の実行を拒否したことを示すために用いられる。
【００３２】
第２の態様と上記の実施方式に関して、第２の態様の第１０の実施方式では、送信ユニットが、アクセス要求情報に従って、ユーザ機器に対してアクセス制御を実行するように制御サーバに要求するように構成されることは、制御サーバにセッション作成要求情報を送信することを含み、セッション作成要求情報は、制御サーバにユーザ機器に対するアクセス制御の実行を要求するために用いられる。処理ユニットが制御サーバが障害に遭遇したことを確認するように構成されることは、セッション作成要求情報の送信後の予め設定された時間内に受信ユニットが制御サーバの応答情報を受信しなかったことを確認することを含む。
【００３３】
第３の態様によれば、本発明の実施形態は、別のネットワークアクセス方法を提供する。本方法は、アクセスネットワーク装置が、ユーザ機器によって送信されたアクセス要求情報を受信するステップであって、アクセス要求情報はネットワークへのアクセスを要求するために用いられる、ステップと、アクセスネットワーク装置が、アクセス要求情報をゲートウェイ装置に送信するステップであって、それによりゲートウェイ装置は、アクセス要求情報に従って、制御サーバにユーザ機器に対するアクセス制御の実行を要求できる、ステップと、アクセスネットワーク装置が、ゲートウェイ装置によって送信されたアクセス応答情報を受信するステップであって、アクセス応答情報は、ユーザ機器がネットワークへのアクセスを要求することに成功したことを示すために用いられ、アクセス応答情報は、ゲートウェイ装置が、制御サーバがユーザ機器に対するアクセス制御の実行に失敗し、結果としてユーザ機器がネットワークへのアクセスの要求に失敗したと決定したときに、ゲートウェイ装置によって送信される、ステップと、アクセスネットワーク装置が、ユーザ機器にアクセス応答情報を送信するステップと、を含む。
【００３４】
第３の態様に関して、第１の可能な実施方式では、制御サーバがユーザ機器に対するアクセス制御の実行に失敗したことは、制御サーバが障害又はオーバーロードに遭遇し、結果としてユーザ機器に対するアクセス制御の実行に失敗したことを含む。
【００３５】
第３の態様と上記の実施方式に関して、第３の態様の第２の実施方式では、本方法は更に、ゲートウェイ装置が、制御サーバの障害が修正され、又はゲートウェイ装置のオーバーロードが解消されたことを確認したとき、アクセスネットワーク装置が、ゲートウェイ装置によって送信された無効化ベアラ要求情報を受信するステップであって、無効化ベアラ要求情報は、制御サーバがユーザ機器に対して再びアクセス制御を実行できるように、ユーザ機器にアクセス要求情報の再送を指示するために用いられる、ステップと、アクセスネットワーク装置が、ユーザ機器に無効化ベアラ要求情報を送信するステップと、を含む。
【００３６】
第３の態様と上記の実施方式に関して、第３の態様の第３の実施方式では、本方法は更に、制御サーバがオーバーロードに遭遇し、結果としてユーザ機器に対するアクセス制御の実行に失敗したとき、ユーザ機器によって送信されたハートビートパケットのゲートウェイ装置によって検出されたデータトラフィックがデータトラフィック閾値よりも大きいか、又は、ユーザ機器によって送信され且つゲートウェイ装置によって検出されるデータコンテンツが、予め設定されたデータコンテンツである場合、アクセスネットワーク装置が、ゲートウェイ装置によって送信された無効化ベアラ要求情報を受信するステップであって、無効化ベアラ要求情報は、制御サーバがユーザ機器に対して再びアクセス制御を実行できるように、ユーザ機器にアクセス要求情報の再送を指示するために用いられる、ステップと、アクセスネットワーク装置が、ユーザ機器に無効化ベアラ要求情報を送信するステップと、を含む。
【００３７】
第３の態様と上記の実施方式に関して、第３の態様の第４の実施方式では、制御サーバがユーザ機器に対するアクセス制御の実行に成功した場合、アクセスネットワーク装置が、ゲートウェイ装置によって送信され且つユーザ機器がネットワークへのアクセスに成功したことを示す情報を受信するステップと、アクセスネットワーク装置が、ユーザ機器に、ユーザ機器がネットワークへのアクセスに成功したことを示す情報を送信するステップと、を含む。
【００３８】
第３の態様と上記の実施方式に関して、第３の態様の第５の実施方式では、本方法は更に、アクセスネットワーク装置が、ゲートウェイ装置に更新要求情報を送信するステップであって、更新要求情報は、ユーザ機器が更新手順を開始してベアラの変更を要求するときに、ユーザ機器によりアクセスネットワーク装置に送信される、ステップと、アクセスネットワーク装置が、ゲートウェイ装置によって送信された更新応答情報を受信するステップであって、更新応答情報は、ユーザ機器がベアラの変更を要求することに成功したことを示すために用いられる、ステップと、を含む。
【００３９】
第３の態様と上記の実施方式に関して、第３の態様の第６の実施方式では、本方法は更に、アクセスネットワーク装置が、ゲートウェイ装置にオフライン要求情報を送信するステップであって、オフライン要求情報は、ユーザ機器がネットワークからの退出を要求するときに、ユーザ機器によりアクセスネットワーク装置に送信される、ステップと、アクセスネットワーク装置が、ゲートウェイ装置によって送信されたオフライン応答情報を受信するステップであって、オフライン応答情報は、ユーザ機器がネットワークからの退出を要求することに成功したことを示すために用いられる、ステップと、を含む。
【００４０】
第４の態様によれば、本発明の実施形態はアクセスネットワーク装置を提供する。本アクセスネットワーク装置は、ユーザ機器によって送信されたアクセス要求情報を受信するように構成される受信ユニットであって、アクセス要求情報はネットワークへのアクセスを要求するために用いられる、受信ユニットと、アクセス要求情報をゲートウェイ装置に送信するように構成される送信ユニットであって、それによりゲートウェイ装置は、アクセス要求情報に従って、制御サーバにユーザ機器に対するアクセス制御の実行を要求できる、送信ユニットと、を備える。受信ユニットは更に、ゲートウェイ装置によって送信されたアクセス応答情報を受信するように構成され、アクセス応答情報は、ユーザ機器がネットワークへのアクセスを要求することに成功したことを示すために用いられ、アクセス応答情報は、ゲートウェイ装置が、制御サーバがユーザ機器に対するアクセス制御の実行に失敗し、結果としてユーザ機器がネットワークへのアクセスの要求に失敗したと決定したときに、ゲートウェイ装置によって送信される。送信ユニットは更に、ユーザ機器にアクセス応答情報を送信するように構成される。
【００４１】
第４の態様に関して、第１の可能な実施方式では、制御サーバがユーザ機器に対するアクセス制御の実行に失敗したことは、制御サーバが障害又はオーバーロードに遭遇し、結果としてユーザ機器に対するアクセス制御の実行に失敗したことを含む。
【００４２】
第４の態様と上記の実施方式に関して、第４の態様の第２の実施方式では、ゲートウェイ装置が、制御サーバの障害が修正され、又はゲートウェイ装置のオーバーロードが解消されたことを確認したとき、受信ユニットは更に、ゲートウェイ装置によって送信された無効化ベアラ要求情報を受信するように構成され、無効化ベアラ要求情報は、制御サーバがユーザ機器に対して再びアクセス制御を実行できるように、ユーザ機器にアクセス要求情報の再送を指示するために用いられる。送信ユニットは更に、ユーザ機器に無効化ベアラ要求情報を送信するように構成される。
【００４３】
第４の態様と上記の実施方式に関して、第４の態様の第３の実施方式では、制御サーバがオーバーロードに遭遇し、結果としてユーザ機器に対するアクセス制御の実行に失敗したとき、ユーザ機器によって送信されたハートビートパケットのゲートウェイ装置によって検出されたデータトラフィックがデータトラフィック閾値よりも大きいこと、又はユーザ機器によって送信され且つゲートウェイ装置によって検出されるデータコンテンツが予め設定されたデータコンテンツであることが満たされるとき、受信ユニットは更に、ゲートウェイ装置によって送信された無効化ベアラ要求情報を受信するように構成され、無効化ベアラ要求情報は、制御サーバがユーザ機器に対して再びアクセス制御を実行できるように、ユーザ機器にアクセス要求情報の再送を指示するために用いられ、送信ユニットは更に、ユーザ機器に無効化ベアラ要求情報を送信するように構成される。
【００４４】
第４の態様と上記の実施方式に関して、第４の態様の第４の実施方式では、制御サーバがユーザ機器に対するアクセス制御の実行に成功した場合、受信ユニットは更に、ゲートウェイ装置によって送信され且つユーザ機器がネットワークへのアクセスに成功したことを示す情報を受信するように構成され、送信ユニットは更に、ユーザ機器に、ユーザ機器がネットワークへのアクセスに成功したことを示す情報を送信するように構成される。
【００４５】
第４の態様と上記の実施方式に関して、第４の態様の第５の実施方式では、送信ユニットは更に、ゲートウェイ装置に更新要求情報を送信するように構成され、更新要求情報は、ユーザ機器が更新手順を開始してベアラの変更を要求するときに、ユーザ機器によりアクセスネットワーク装置に送信される。受信ユニットは更に、ゲートウェイ装置によって送信された更新応答情報を受信するように構成され、更新応答情報は、ユーザ機器がベアラの変更を要求することに成功したことを示すために用いられる。
【００４６】
第４の態様と上記の実施方式に関して、第４の態様の第６の実施方式では、送信ユニットは更に、ゲートウェイ装置にオフライン要求情報を送信するように構成され、オフライン要求情報は、ユーザ機器がネットワークからの退出を要求するときに、ユーザ機器によりアクセスネットワーク装置に送信される。受信ユニットは更に、ゲートウェイ装置によって送信されたオフライン応答情報を受信するように構成され、オフライン応答情報は、ユーザ機器がネットワークからの退出を要求することに成功したことを示すために用いられる。
【００４７】
本発明の本実施形態で提供される上記の技術的解決策により、ユーザ機器がネットワークへのアクセスの要求に失敗したとき、ゲートウェイ装置は、ユーザ機器がネットワークへのアクセスを要求することに成功したことを示すアクセス応答情報を依然として送信し、アクセスネットワーク装置は、アクセス応答情報をユーザ機器に送信する。本技術的解決策により、ユーザ機器ネットワークへのアクセスに失敗したことを理由に、ユーザ機器がネットワークのアクセスを繰り返し試みることが防止される、よって、結果として生じるネットワークシグナリングストームが効果的に解決され、ネットワーク輻輳が更に緩和される。
【図面の簡単な説明】
【００４８】
本発明の実施形態における技術的解決策をより明確に説明するために、以下、実施形態を説明するために必要な添付図面を簡単に説明する。当然ながら、以下の説明における添付図面は、本発明のいくつかの実施形態を示すに過ぎない。当業者であれば、創意工夫なくこれらの添付図面から他の図面を更に引き出すことができるであろう。
【図１】本発明の実施形態に係るネットワークアクセス方法のフローチャートである。
【図２】本発明の実施形態に係る別のネットワークアクセス方法のフローチャートである。
【図３】本発明の実施形態に係る更に別のネットワークアクセス方法のフローチャートである。
【図４】本発明の実施形態に係る更に別のネットワークアクセス方法のシグナリングフローチャートである。
【図５】本発明の実施形態に係る、ユーザ機器に対してアクセス制御を実行するように制御サーバをトリガする方法のシグナリングフローチャートである。
【図６】本発明の実施形態に係る、ユーザ機器に対してアクセス制御を実行するように制御サーバをトリガする別の方法のシグナリングフローチャートである。
【図７】本発明の実施形態に係るゲートウェイ装置の概略構造図である。
【図８】本発明の実施形態に係るアクセスネットワーク装置の概略構造図である。
【図９】本発明の実施形態に係る別のゲートウェイ装置の概略構造図である。
【図１０】本発明に係る別のアクセスネットワーク装置の概略構造図である。
【発明を実施するための形態】
【００４９】
本発明の実施形態の技術的解決策をより明確にするために、以下、本発明の実施形態において添付図面を参照して、本発明の実施形態における技術的解決策を明確且つ完全に記載する。当然ながら、以下の実施形態は、本発明の実施形態の全部ではなく一部である。
【００５０】
本発明の実施形態で提供される技術的解決策は、様々な無線通信ネットワークに適用可能であり、例えば、符号分割多元接続（Code  Division  Multiple  Access，ＣＤＭＡ）、時分割多元接続（Time  division  multiple  access，ＴＤＭＡ）、周波数分割多元接続（Frequency  Division  Multiple  Access，ＦＤＭＡ）、直交周波数分割多元接続（Orthogonal  frequency-division  multiple  access，ＯＦＤＭＡ）、シングルキャリア周波数分割多元接続（single  carrier  FDMA，ＳＣ−ＦＤＭＡ）その他のネットワークに適用可能である。「ネットワーク」と「システム」という用語は置換え可能である。ＣＤＭＡネットワークは、ユニバーサル地上無線アクセス（universal  terrestrial  radio  access，ＵＴＲＡ）やＣＤＭＡ２０００などの無線技術を実現することができる。ＵＴＲＡは、ＣＤＭＡ（ＷＣＤＭＡ）及びＣＤＭＡの他の変形を含むことができる。ＣＤＭＡ２０００は、標準暫定標準（Interim  Standard，ＩＳ）２０００（ＩＳ−２０００）、ＩＳ−９５及びＩＳ−８５６を含むことができる。ＴＤＭＡネットワークは、モバイル通信のためのグローバルシステム（global  system  for  mobile  communication，ＧＳＭ）などの無線技術を実現することができる。ＯＦＤＭＡネットワークは、進化型ユニバーサル地上無線アクセス（evolved  UTRA，Ｅ−ＵＴＲＡ）、ウルトラモバイルブロードバンド（ultra  mobile  broadband，ＵＭＢ）、IEEE802.11（Ｗｉ−Ｆｉ）、IEEE802.16（WiMAX）、IEEE  802.20、フラッシュＯＦＤＭＡなどの無線技術を実現することができる。ＵＴＲＡ及びＥ−ＵＴＲＡはＵＭＴＳに使用され、Ｅ−ＵＴＲＡはＵＭＴＳの進化型である。Ｅ−ＵＴＲＡを使用するＬＴＥ及びLTE-Advanced（LTE  Advanced，ＬＴＥ−Ａ）は、３ＧＰＰにおけるＵＴＭＳの新しいバージョンである。ＵＴＲＡ、Ｅ−ＵＴＲＡ、ＵＭＴＳ、ＬＴＥ、ＬＴＥ−Ａ及びＧＳＭは、３ＧＰＰ標準化団体の文書に記録及び記述されている。ＣＤＭＡ２０００及びＵＭＢは、３ＧＰＰ２標準化団体の文書に記録及び記述されている。本発明の実施形態に記載される技術は、上記の無線ネットワーク及び無線技術にも適用可能である。
【００５１】
本発明の実施形態で提供される通信ネットワークは、アクセスネットワーク装置、ゲートウェイ装置、制御サーバなどを含んでよい。アクセスネットワーク装置、ゲートウェイ装置及び制御サーバは、異なる通信システムにおいて異なる名前と構造を有することができるが、同じ機能を実現する。例えば、ＬＴＥシステムでは、アクセスネットワーク装置は、進化型ノードＢ（evolved  NodeB，ｅＮｏｄｅＢ）であってもよいし、ホームｅＮｏｄｅＢ（ＨｅＮＢ，home  eNodeB）などの小さな基地局であってもよい。ＵＭＴＳシステムにおいて、アクセスネットワーク装置は、ノードＢ（Node  B）及び無線ネットワークコントローラ（ＲＮＣ，Radio  Network  Controller）を含んでよい。ゲートウェイ装置は、サービングゲートウェイ（Ｓ−ＧＷ，serving  gateway）及び公衆データネットワークゲートウェイ（Ｐ−ＧＷ，public  data  network  Gateway）を含んでよく、これらは別々に配備されてもよいし、一緒に配備されてもよい。制御サーバは、ＰＣＲＦエンティティ、オンライン課金システム（ＯＣＳ、online  charging  system）、認証認可及び課金（ＡＡＡ、authentication，authorization，accounting）サーバなどであってよい。
【００５２】
ＵＥがネットワークにアクセスするプロセスにおいて、制御サーバはゲートウェイ装置とインタラクトし、ＵＥがネットワークにアクセスするプロセスを制御することができる。障害に遭遇した場合、制御サーバは、ユーザ機器に対してアクセス制御を実行することができない。オーバーロードに遭遇した場合、制御サーバはまた、ユーザ機器に対してアクセス制御を実行することができない可能性がある。上記の事情により、ユーザ機器はネットワークへのアクセスに失敗する。この場合、ユーザ機器は自動的且つ反復的にネットワークへのアクセスを試み、シグナリングトラフィックを連続的に蓄積させる。その結果、ネットワークシグナリングストームが形成され、ネットワークの輻輳が発生する。ネットワーク内の装置は、このような「ストーム」に対して非常に脆弱である。シグナリングストームが発生すると、ネットワークのパフォーマンスが急速に低下し、ネットワーク全体がダウンするおそれがある。
【００５３】
図１は、本発明の実施形態に係るネットワークアクセス方法のフローチャートである。図１に示されるように、本方法は以下のステップを含む。
【００５４】
Ｓ１０１：アクセスネットワーク装置が、ユーザ機器によって送信されたアクセス要求情報を受信する。アクセス要求情報はネットワークへのアクセスを要求するために用いられる。
【００５５】
Ｓ１０２：アクセスネットワーク装置が、アクセス要求情報をゲートウェイ装置に送信する。
【００５６】
Ｓ１０３：ゲートウェイ装置が、アクセス要求情報に従って、制御サーバにユーザ機器に対するアクセス制御の実行を要求する。
【００５７】
Ｓ１０４：ゲートウェイ装置が、制御サーバがユーザ機器に対するアクセス制御の実行に失敗したと決定する。
【００５８】
Ｓ１０５：ゲートウェイ装置が、制御サーバがユーザ機器に対するアクセス制御の実行に失敗したという決定結果に従って、ユーザ機器がネットワークへのアクセスの要求に失敗したと決定する。
【００５９】
Ｓ１０６：ゲートウェイ装置が、アクセスネットワーク装置を用いて、ユーザ機器にアクセス応答情報を送信する。アクセス応答情報は、ユーザ機器がネットワークへのアクセスの要求に成功したことを示す。
【００６０】
本発明の本実施形態で提供される技術的解決策により、ユーザ機器がネットワークへのアクセスの要求に失敗したとき、ゲートウェイ装置は、ユーザ機器がネットワークへのアクセスを要求することに成功したことを示すアクセス応答情報を依然として送信する。このように、ユーザ機器ネットワークへのアクセスに失敗したことを理由に、ユーザ機器がネットワークへのアクセスを繰り返し試みることを防止することができる。よって、結果として生じるネットワークシグナリングストームが効果的に解決され、ネットワーク輻輳が更に緩和される。
【００６１】
ユーザ機器は、アクセスネットワーク装置にアタッチ要求（attach  request）メッセージを送信することによってネットワークへのアクセスを要求してよく、アクセス要求情報はアタッチ要求メッセージで搬送されてよい。
【００６２】
アクセスネットワーク装置は、メッセージを送信することにより、アクセス要求情報をゲートウェイ装置に転送してよく、アクセスネットワーク装置は、移動管理装置を用いてゲートウェイ装置にアクセス要求情報を送信してよい。ゲートウェイ装置は、アクセスネットワーク装置によって送信された作成セッションリクエスト（create  session  request）メッセージを受信することにより、アクセス要求情報を取得してよい。ここで、作成セッション要求メッセージはアクセス要求情報を含む。
【００６３】
ゲートウェイ装置は、アクセス要求情報に従って、制御サーバにユーザ機器に対してアクセス制御を実行することを要求する。例えば、ゲートウェイ装置がアクセス要求情報に従ってユーザ機器の送信ベアラを作成するプロセスにおいて、ゲートウェイ装置は、制御サーバに、ユーザ機器に対してアクセス制御を実行することを要求する。任意に、アクセス制御は、制御サーバとのセッションの作成を要求することである。セッションを作成するプロセスは、制御サーバにユーザ機器の登録情報を記憶することと、ユーザ機器の履歴加入情報をゲートウェイ装置に返すことと、ユーザ機器のアプリケーションのための様々なポリシー制御ルールに関する情報をゲートウェイ装置に返すことと、ユーザ機器のデータネットワークアクセス許可をゲートウェイ装置に返すことなどのうち、少なくとも１つであってよい。
【００６４】
ゲートウェイ装置が、アクセス要求情報に従って、ユーザ機器に対してアクセス制御を実行するように制御サーバに要求することは、制御サーバにセッション作成要求情報を送信することであってよい。上記のように、制御サーバは、ＰＣＲＦエンティティ、ＯＣＳ又はＡＡＡサーバであってよい。これに基づいて、セッション作成要求情報は、ゲートウェイ装置によってＯＣＳ又はＰＣＲＦエンティティに送信されるクレジット制御要求初期（CCR-Initial，credit  control  request-Initial）メッセージで搬送されてもよいし、ゲートウェイ装置によりＡＡＡサーバに送信される認証要求（authentication  request）メッセージ又は課金開始要求（accounting  start  request）メッセージで搬送されてもよい。
【００６５】
任意に、制御サーバが障害又はオーバーロードに遭遇すると、制御サーバは、ユーザ機器に対するアクセス制御の実行に失敗する。
【００６６】
本発明の本実施形態では、制御サーバがオーバーロードに遭遇した場合、ゲートウェイ装置は、制御サーバがユーザ機器に対するアクセス制御の実行に失敗したと決定してよい。例えば、ゲートウェイ装置は、セッション作成要求情報に応じて、制御サーバによって送信されたセッション作成応答情報を受信する。セッション作成応答情報は、制御サーバがオーバーロード状態であり、ユーザ機器に対するアクセス制御の実行を拒否したことを示すために用いられる。ゲートウェイ装置は、制御サーバがユーザ機器に対するアクセス制御の実行に失敗したと決定してよい。例えば、制御サーバがＰＣＲＦエンティティである場合、セッション作成応答情報は、ＰＣＲＦエンティティによりゲートウェイ装置に送信されるクレジット制御応答（ＣＣＡ，credit  control  answer）メッセージで搬送されてよい。
【００６７】
或いは、制御サーバが障害に遭遇した場合、ゲートウェイ装置は、制御サーバがユーザ機器に対するアクセス制御の実行に失敗したと決定してよい。例えば、セッション作成要求情報を送信した後、ゲートウェイ装置は、予め設定された時間後にセッション作成要求情報に対する制御サーバからの応答情報を受信せず、制御サーバがユーザ機器に対するアクセス制御の実行に失敗したと決定してよい。
【００６８】
本発明の本実施形態では、ゲートウェイ装置が、制御サーバがオーバーロードに遭遇した、又は制御サーバが障害に遭遇したと決定した場合、ゲートウェイ装置は、制御サーバがユーザ機器に対するアクセス制御の実行に失敗したと決定してよい。更に、ゲートウェイ装置は更に、ゲートウェイ装置が、制御サーバがユーザ機器に対するアクセス制御の実行に失敗したという決定結果に従って、ユーザ機器がネットワークへのアクセスに失敗したと決定する。
【００６９】
本発明の本実施形態では、アクセス応答情報は、アタッチ受領（attach  accept）メッセージに含まれてよい。
【００７０】
従来技術では、制御サーバがユーザ機器に対してアクセス制御を行うことができず、結果的にユーザ機器がネットワークへのアクセスに失敗した場合、ゲートウェイ装置は、ユーザ機器がネットワークへのアクセスの要求に失敗したことを示すアクセス応答情報を、ユーザ機器に送信する。これに対して、本発明の実施形態で提供される技術的解決策では、ユーザ機器がアタッチ障害を理由にアタッチ手順を開始することにより、ネットワークへのアクセスを繰り返し試みて、ネットワーク輻輳を引き起こすことを防止するために、ユーザ機器がネットワークへのアクセスに失敗したことに関わらず、ゲートウェイ装置は、アクセスネットワーク装置を用いて、ユーザ機器がネットワークへのアクセスを要求することに成功したことを示すアクセス応答情報を依然としてユーザ機器に送信する。この場合、ユーザ機器は実際にネットワークに接続されていない。したがって、ステップＳ１０６は、ユーザ機器の偽起動と呼ばれてもよく、偽アクセスと呼ばれてもよい。
【００７１】
本発明の本実施形態では、ゲートウェイ装置は、偽起動されたユーザ機器をマークしてよい。特に、ゲートウェイ装置が大量のユーザ機器からネットワークアクセス要求を受信した場合（実際にネットワークへの接続に成功したユーザ機器もあり、実際にネットワークに接続されるのではなく、上記の方法実施形態の方法に従って処理されるユーザ機器もある）、ゲートウェイ装置は、これらの偽起動されたユーザ機器をマークしてよい。例えば、ユーザ機器は、間違って起動されたユーザのリストに記憶される。ゲートウェイ装置は、制御サーバの障害が修正され、又はゲートウェイ装置のオーバーロードが解消されたことを知ると、偽起動されたこれらのユーザ機器を優先的にトリガして、実際にネットワークに接続されるようにネットワークアクセス要求を再開する。
【００７２】
したがって、任意に、図１に示されるように、本発明の本実施形態の方法は更に、以下のステップを含んでよい。
【００７３】
Ｓ１０７ａ：ゲートウェイ装置が、制御サーバの障害が修正され、又はゲートウェイ装置のオーバーロードが解消されたことを確認する。
【００７４】
Ｓ１０８ａ：ゲートウェイ装置が、ユーザ機器に対してアクセス制御を実行するように制御サーバをトリガする。
【００７５】
任意に、ユーザ機器が偽起動された後、異なるユーザ機器が引き続きネットワークへのアクセスを要求することがある。この場合、ゲートウェイ装置は制御サーバと再びインタラクトしてよい。すなわち、制御サーバは、続いてネットワークへのアクセスを要求するユーザ機器に対してアクセス制御を実行することを要求される。後続のユーザ機器がネットワークへの接続に成功することができた場合、ゲートウェイ装置は、制御サーバの障害が修正され、又はゲートウェイ装置のオーバーロードが解消されたことを確認してよい。
【００７６】
任意に、ゲートウェイ装置は、制御サーバの障害が修正されたか、又はゲートウェイ装置のオーバーロードが解消されたかを検出するために、定期的にリンク確立パケットを制御サーバに送信することができる。制御サーバからの応答メッセージで搬送されるオーバーロードの解消又は障害の除去に関する情報に基づいて、ゲートウェイ装置は、制御サーバの障害が修正され、又はゲートウェイ装置のオーバーロードが解消されたことを確認してよい。制御サーバの障害が修正され、又はゲートウェイ装置のオーバーロードが解消されたとき、ゲートウェイ装置は、偽起動されたユーザを、ネットワークに正常にアクセスすることのできるユーザに能動的に回復させてよい。
【００７７】
任意に、ユーザ機器に対してアクセス制御を実行するように制御サーバをトリガする方式は、ゲートウェイ装置が、アクセスネットワーク装置を用いて、ユーザ機器に無効化ベアラ要求情報を送信することであってよい。無効化ベアラ要求情報は、制御サーバがユーザ機器に対して再びアクセス制御を実行できるように、ユーザ機器にアクセス要求情報の再送を指示するために用いられる。アクセスネットワーク装置は、再構成メッセージに無効化ベアラ要求情報を追加し、再構成メッセージをユーザ機器に送信する。無効化ベアラ要求情報を取得した後、ユーザ機器はアタッチ手順を再び開始して、ネットワークへのアクセスを要求する。その後、制御サーバは、ユーザ機器によって再送されたネットワークアクセス要求に従ってアクセス制御を実行する。制御サーバがユーザ機器に対するアクセス制御の実行に成功した場合、ゲートウェイ装置は、ユーザ機器に、アクセスネットワーク装置を用いて、ユーザ機器がネットワークへのアクセスに成功したことを示す情報を送信する。
【００７８】
無効化ベアラ要求情報は、削除ベアラ要求（delete  bearer  request）メッセージで搬送されてよく、再構成メッセージは、無線リソース制御アクセス再構成（RRC  access  reconfiguration）メッセージであってよい。
【００７９】
任意に、ユーザ機器に対してアクセス制御を実行するように制御サーバをトリガする実施方式は、ゲートウェイ装置が、制御サーバに、ユーザ機器に対するアクセス制御の実行を再要求することであってもよい。制御サーバにユーザ機器に対してアクセス制御を実行することを再要求することは、制御サーバにセッション作成要求情報を再送信することであってよい。セッション作成要求情報は、ゲートウェイ装置によりＯＣＳ又はＰＣＲＦエンティティに送信されるクレジット制御要求初期メッセージで搬送されてもよく、ゲートウェイ装置によりＡＡＡサーバに送信される認証要求メッセージ又は課金開始要求メッセージで搬送されてもよい。装置がＯＣＳ又はＰＣＲＦエンティティである場合、セッション作成要求情報は、クレジット管理要求更新（CCR-update，credit  control  request-update）メッセージで搬送されてもよい。制御サーバがユーザ機器に対するアクセス制御の実行に成功した場合、ゲートウェイ装置は、ユーザ機器に、アクセスネットワーク装置を用いて、ユーザ機器がネットワークへのアクセスに成功したことを示す情報を送信する。
【００８０】
任意に、ゲートウェイ装置が、制御サーバがオーバーロードに遭遇し、結果としてユーザ機器に対するアクセス制御の実行に失敗したことを確認した場合、ユーザ機器によって送信されたハートビートパケットのゲートウェイ装置によって検出されたデータトラフィックがデータトラフィック閾値よりも大きいこと、又はユーザ機器によって送信され且つゲートウェイ装置によって検出されるデータコンテンツが予め設定されたデータコンテンツであることが満たされるとき、図１に示されるように、Ｓ１０６の後、本発明の本実施形態の方法は更に以下を含んでよい。
【００８１】
Ｓ１０７ｂ：ゲートウェイ装置が、ユーザ機器に対してアクセス制御を実行するように制御サーバをトリガする。
【００８２】
このステップはＳ１０８と同様であり、詳細についてはＳ１０８ａの説明を参照する。
【００８３】
ユーザ機器によって累積的に送信されるハートビートパケットのデータトラフィックが特定の量に達する（例えば、予め設定された閾値を超える）と、それは、ユーザ機器がある期間、データを送信することを要求していることを示す。オーバーロード状態にあるとき、制御サーバは依然として、適切なサービス要求を受信してよい。この場合、制御サーバは、ユーザ機器がネットワークへのアクセスに成功できるように、ユーザ機器に対してアクセス制御を優先的に実行してよく、これにより、ユーザ機器がデータを送信することができる。したがって、ゲートウェイ装置は、能動的に、制御サーバにユーザ機器に対してアクセス制御を実行するように再要求してよい。
【００８４】
ゲートウェイ装置は、ユーザ機器によって送信されたサービスデータコンテンツが、予め設定されたサービスデータコンテンツに包含されることを検出する。例えば、ゲートウェイ装置は、ユーザ機器によって送信されたデータコンテンツが、ユーザ機器がビデオにアクセスしようとしていることを示し、ビデオアクセスが予め設定された許可されたサービスであることを検出する。オーバーロード状態にあるとき、制御サーバは依然として、適切なサービス要求を受信してよい。この場合、ゲートウェイ装置は能動的に、ユーザ機器がネットワークへのアクセスに成功してビデオにアクセスできるように、制御サーバにユーザ機器に対してアクセス制御を実行することを再要求してよい。
【００８５】
本発明の本実施形態で提供される上記の技術的解決策により、ユーザ機器が偽起動された後、ユーザ機器がネットワークにアクセスすることができる場合、ユーザ機器はネットワークに正常にアクセスするように適時に支援される。それにより、ユーザ機器のネットワークアクセスへの影響が低減され、解決策の柔軟性が向上する。
【００８６】
図２は、本発明に係る別のネットワークアクセス方法のフローチャートである。本方法は、図１に示される本発明の方法実施形態における全てのステップを含む。ネットワークに正常にアクセスできないユーザ機器が偽起動された後、ユーザ機器は、ユーザ機器がネットワークへのアクセスに成功したとみなす。したがって、ユーザ機器は続いて、ベアラの変更を要求する更新手順を開始してよい。したがって、図２に示されるように、本方法は更に以下のステップを含む。
【００８７】
Ｓ２０１：アクセスネットワーク装置が、ゲートウェイ装置に更新要求情報を送信する。更新要求情報は、ユーザ機器が更新手順を開始してベアラの変更を要求するときに、ユーザ機器によりアクセスネットワーク装置に送信される。
【００８８】
Ｓ２０２：ゲートウェイ装置が、アクセスネットワーク装置を用いて、ユーザ機器に更新応答情報を送信する。更新応答情報は、ユーザ機器がベアラの変更を要求することに成功したことを示すために用いられる。
【００８９】
この場合、ユーザ機器がネットワークに接続されていないということをユーザ機器が更新障害から知ることを防止するために、そのような更新要求の通常の処理をシミュレートする必要がある。
【００９０】
更新手順は、トラッキングエリア更新／ルーティングエリア更新（ＴＡＵ／ＲＡＵ，tracking  area  update/routing  area  update）、ハンドオーバ（handover）又はサービス要求などの手順であってよい。
【００９１】
任意に、更新要求情報は、変更ベアラ要求（modify  bearer  request）メッセージで搬送されてよく、更新応答情報は、変更ベアラ応答（modify  bearer  response）メッセージで搬送されてよい。
【００９２】
図３は、本発明に係る別のネットワークアクセス方法のフローチャートである。本方法は、図１又は図２に示される方法実施形態における全てのステップを含んでよい。ネットワークにアクセスできないユーザ機器が偽起動された後、ユーザ機器はユーザ機器がネットワークへのアクセスに成功したとみなすので、ネットワークから退出しようとするとき、ユーザ機器はオフライン要求情報を送信する。したがって、図３に示されるように、本方法は更に以下のステップを含む。
【００９３】
Ｓ３０１：アクセスネットワーク装置が、ゲートウェイ装置にオフライン要求情報を送信する。オフライン要求情報は、ユーザ機器がネットワークからの退出を要求するときに、ユーザ機器によりアクセスネットワーク装置に送信される。
【００９４】
Ｓ３０２：ゲートウェイ装置が、アクセスネットワーク装置を用いて、ユーザ機器にオフライン応答情報を送信する。オフライン応答情報は、ユーザ機器がネットワークからの退出を要求することに成功したことを示すために用いられる。
【００９５】
この場合、アクセスネットワーク装置及びゲートウェイ装置は、情報を正常に処理し、ユーザ機器がネットワークからの退出を要求することに成功したことを示す情報をユーザ機器に返すだけでよい。
【００９６】
任意に、オフライン要求情報は、削除セッション要求（delete  session  request）メッセージで搬送されてよく、オフライン応答情報は、削除セッション応答（delete  session  response）メッセージで搬送されてよい。
【００９７】
本発明の本実施形態で提供される上記の技術的解決策により、ゲートウェイ装置がユーザ機器を偽起動した後に、ユーザ機器がベアラの更新を要求するための更新手順を開始するか、又はネットワークからの退出を要求すると、ゲートウェイ装置及びアクセスネットワーク装置は、通常の手順に従って、ユーザ機器の更新要求及びオフライン要求を処理する。技術的解決策の柔軟性が反映される。特に、ユーザ機器がベアラの変更を要求するために更新手順を開始するときに実行される動作により、ユーザ機器が、該ユーザ機器がネットワークに接続していないことを更新障害から知ることが妨げられる。その結果、ユーザ機器はアタッチ手順を再び開始する。結果として、シグナリングトラフィックが増加し、ネットワークの輻輳が引き起こされてしまう。
【００９８】
図４は、本発明の実施形態に係る、更に別のネットワークアクセス方法のシグナリングフローチャートである。本実施形態ではＬＴＥシステムを例に挙げ、ここでアクセスネットワーク装置の一例としてｅＮｏｄｅＢを用い、制御サーバの一例としてＯＣＳを用いる。特に、別の規格のネットワークでは、本発明の本実施形態における技術的解決策を実現するために、対応する装置がインタラクトしてよい。これは本明細書において限定されない。
【００９９】
本発明の本実施形態では、ユーザ機器（ＵＥ，user  equipment）がネットワークへのアクセスを要求するためにアタッチ手順を開始し、ＯＣＳは、障害やオーバーロードなどの問題により、ユーザ機器に対するアクセス制御を実行することができず、ユーザがネットワークへのアクセスに失敗してしまう。ユーザ装置がアタッチ手順を繰り返し開始し、ネットワーク輻輳を引き起こさないようにするために、ゲートウェイ装置は、ユーザ装置を偽起動する。
【０１００】
Ｓ４０１：ユーザ機器が、ｅＮｏｄｅＢにアタッチ要求メッセージを送信して、アタッチ手順を開始してネットワークへのアクセスを要求する。
【０１０１】
Ｓ４０２：ｅＮｏｄｅＢが、アタッチ要求メッセージをモバイル管理エンティティ（ＭＭＥ，mobile  management  entity）に転送する。
【０１０２】
Ｓ４０３：ＭＭＥが、作成セッション要求（create  session  request）メッセージをＳ−ＧＷに送信する。
【０１０３】
Ｓ４０４：Ｓ−ＧＷは、作成セッション要求メッセージをＰ−ＧＷに送信する。
【０１０４】
Ｓ−ＧＷは、Ｓ−ＧＷのアドレスなどの情報をメッセージに付加する。
【０１０５】
上記のアタッチ要求メッセージ及び作成セッション要求メッセージは、ユーザ機器のアクセス要求情報を搬送する。
【０１０６】
Ｓ４０５：Ｐ−ＧＷがＯＣＳとインタラクトし、ＯＣＳにクレジット制御要求初期メッセージを送信して、ユーザ機器に対してアクセス制御を実行することをＯＣＳに要求する。
【０１０７】
アクセス制御は、ユーザ機器の登録情報を記憶することや、ユーザ機器のプリペイ情報を取得することなどであってよい。
【０１０８】
任意に、論理デバイスは本明細書のＯＣＳに限定されず、ＰＣＲＦエンティティ、ＡＡＡサーバなどであってもよい。Ｐ−ＧＷによるメッセージの送信は、クレジット制御要求初期メッセージをＰＣＲＦエンティティに送信すること、認証要求メッセージ又は課金開始要求メッセージをＡＡＡサーバに送信することなどであってよい。このようなメッセージは全て、Ｐ−ＧＷがユーザ機器に対して実行されるアクセス制御を要求することを示す。
【０１０９】
Ｓ４０６：ＯＣＳが、障害又はオーバーロードを理由として、ユーザ機器に対するアクセス制御の実行に失敗する。
【０１１０】
ＯＣＳがオーバーロード状態になると、ＯＣＳはＣＣＡメッセージをＰ−ＧＷに送信する。ＣＣＡメッセージは、ＯＣＳがオーバーロード状態であり、ユーザに対するアクセス制御を実行すること拒否することを示す情報を搬送する。ＯＣＳに障害が発生すると、現象は、ＯＣＳが予め設定された時間内に応答メッセージを送信することに失敗することである。
【０１１１】
Ｓ４０７：Ｐ−ＧＷが、ＯＣＳがユーザ機器へのアクセス制御の実行に失敗したことを確認し、その確認に従って、ユーザ機器がネットワークへのアクセスの要求に失敗したと決定する。決定に基づいて、Ｐ−ＧＷは、セッションが正常に作成されたことを示すために、作成セッション応答（create  session  response）メッセージをＳ−ＧＷに送信する。
【０１１２】
任意に、Ｐ−ＧＷはユーザ機器をマークしてよい。
【０１１３】
Ｓ４０８：Ｓ−ＧＷが、セッションが正常に作成されたとみなし、セッションが正常に作成されたことを示すために、作成セッション応答メッセージをＭＭＥに送信する。
【０１１４】
Ｓ４０９：ＭＭＥが、ユーザ機器がネットワークへのアクセスに成功したとみなし、アタッチ受領（attach  accept）メッセージをｅＮｏｄｅＢに送信する。
【０１１５】
Ｓ４１０：ｅＮｏｄｅＢが、アタッチ受領メッセージをユーザ機器に転送する。
【０１１６】
偽起動されたユーザ機器は、ユーザ機器がネットワークに接続されているとみなし、特定の時間に更新手順を要求する。シグナリングインタラクション手順は、以下のとおりである。
【０１１７】
Ｓ４１１：ユーザ機器が更新手順を開始し、変更ベアラ要求メッセージを送信する。
【０１１８】
更新手順は、ＴＡＵ／ＲＡＵ、ハンドオーバ又はサービス要求などの手順であってよい。
【０１１９】
Ｓ４１２：Ｐ−ＧＷが、変更ベアラ応答メッセージを返して、更新手順が成功したことを示す。
【０１２０】
偽起動されたユーザ機器は、ユーザ機器がネットワークに接続されているとみなし、特定の時間にネットワークから退出することを要求する。シグナリングインタラクション手順は以下のとおりである。
【０１２１】
Ｓ４１３：ユーザ機器が、オフライン要求を開始し、削除セッション要求メッセージを送信する。
【０１２２】
Ｓ４１４：Ｐ−ＧＷが、ユーザがネットワークからの退出に成功したことを示すために削除セッション応答メッセージを送信する。
【０１２３】
なお、Ｓ４１３及びＳ４１４は必ずしもＳ４１２の後に実行されるステップである必要はなく、Ｓ４１０の後に実行されてよい。
【０１２４】
本発明の本実施形態で提供される上記の技術的解決策により、ユーザ機器がネットワークへのアクセスの要求に失敗したとき、ゲートウェイ装置は、ユーザ機器がネットワークへのアクセスを要求することに成功したことを示すアクセス応答情報を依然として送信する。ユーザ機器がベアラの変更又はネットワークからの退出を要求すると、ユーザ機器の更新要求及びオフライン要求は、通常の手順に従って処理される。本技術的解決策により、ユーザ機器ネットワークへのアクセスに失敗したことを理由に、ユーザ機器がネットワークのアクセスを繰り返し試みることが防止される。よって、結果として生じるネットワークシグナリングストームが効果的に解決され、ネットワーク輻輳が更に緩和される。更に、通常の手順に従ってユーザ装置の更新要求及びオフライン要求を処理することは、技術的解決策の柔軟性を反映する。特に、ユーザが更新を要求するときに実行される動作により、ユーザ機器が、ネットワークに接続されていないことを更新障害から知り、したがって、アタッチ手順を再開してシグナリングトラフィックを増加させてしまうことが防止される。
【０１２５】
ゲートウェイ装置が、ＯＣＳの障害が修正されたこと、又はゲートウェイ装置のオーバーロードが解消されたことを確認し、或いは、ＯＣＳがオーバーロード状態にあるにも関わらず、ユーザ機器によって送信されたハートビートパケットのデータトラフィックがデータトラフィック閾値よりも大きく、又は、ユーザ機器によって送信され且つゲートウェイ装置によって検出されるデータコンテンツが、予め設定されたデータコンテンツである場合、ゲートウェイ装置は能動的に、ユーザ機器に対するアクセス制御を実行するように制御サーバをトリガしてよい。図５は、本発明の実施形態に係る、ユーザ機器に対してアクセス制御を実行するように制御サーバをトリガする方法のシグナリングフローチャートである。図５に示されるように、本方法は以下のステップを含む。
【０１２６】
Ｓ５０１：Ｐ−ＧＷが、削除ベアラ要求メッセージをＳ−ＧＷに送信する。
【０１２７】
Ｓ５０２：Ｓ−ＧＷが、削除ベアラ要求メッセージをＭＭＥに送信する。
【０１２８】
Ｓ５０３：ＭＭＥが、無効化ベアラ要求（deactivate  bearer  request）メッセージをｅＮｏｄｅＢに送信する。
【０１２９】
Ｓ５０４：ｅＮｏｄｅＢが、無線リソース制御アクセス再構成メッセージをユーザ機器に送信する。
【０１３０】
Ｓ５０５：ユーザ機器が、アタッチ手順を再開始して、ネットワークにアクセスすることを要求する。
【０１３１】
この場合、ユーザ機器は、ユーザ機器がネットワークから退出したことを知っている。ネットワークにアクセスしようとする場合、ユーザ機器はアタッチ手順を再び開始する。制御サーバのオーバーロードが解消されるか、又は制御サーバの障害が修正されるので、ユーザ機器はネットワークに正常に接続することができる。
【０１３２】
図６は、本発明の実施形態に係る、ユーザ機器に対してアクセス制御を実行するように制御サーバをトリガする別の方法のシグナリングフローチャートである。図５に示される方法実施形態と比較すると、図６に示される実施形態の方法は、ゲートウェイ装置が能動的に、ユーザ機器に対してアクセス制御を実行するように制御サーバをトリガする別の実施方式である。図６に示されるように、以下のステップが実行されてよい。
【０１３３】
Ｓ６０１：Ｐ−ＧＷがＯＣＳとインタラクトし、クレジット制御要求初期メッセージ又はクレジット制御要求更新メッセージをＯＣＳに送信して、ユーザ機器に対してアクセス制御を実行するようにＯＣＳに要求する。
【０１３４】
任意に、制御サーバがＰＣＲＦエンティティである場合、クレジット制御要求初期メッセージ又はクレジット制御要求更新メッセージがＰＣＲＦエンティティに送信されてよい。或いは、制御サーバがＡＡＡサーバである場合、認証要求メッセージ又は課金開始要求メッセージがＡＡＡサーバなどに送信されてよい。
【０１３５】
Ｓ６０２：ＯＣＳが、クレジット制御応答メッセージをＰ−ＧＷに送信する。
【０１３６】
ＣＣＡは、ユーザ機器に対してアクセス制御を実行する際に用いることのできる情報を含む。ＯＣＳは、ユーザ機器の登録情報を記憶し、ユーザ機器のプリペイ情報などの情報を返す。
【０１３７】
この場合、ユーザ機器は正常にネットワークにアクセスすることができる。
【０１３８】
本発明の本実施形態で提供される上記の技術的解決策により、ユーザ機器が偽起動された後、ユーザ機器がネットワークにアクセスすることができる場合、ユーザ機器はネットワークに正常にアクセスするように適時に支援される。それにより、ユーザ機器への影響が低減され、解決策の柔軟性を向上させることができる。
【０１３９】
図１〜図６に示される本発明の方法実施形態を実施するために、本発明の実施形態は更に、ゲートウェイ装置及びアクセスネットワーク装置を提供する。図７は、本発明の実施形態に係るゲートウェイ装置の概略構造図である。図７に示されるように、ゲートウェイ装置７００は、
アクセスネットワーク装置によって送信されたアクセス要求情報を受信するように構成される受信ユニット７１０であって、アクセス要求情報は、ユーザ機器がネットワークにアクセスすることを要求したときに、ユーザ機器によりアクセスネットワーク装置に送信される、受信ユニット７１０と、
アクセス要求情報に従って、ユーザ機器に対してアクセス制御を実行するように制御サーバに要求するように構成される送信ユニット７２０と、
制御サーバがユーザ機器に対するアクセス制御の実行に失敗したと決定するように構成される処理ユニット７３０と、
を備える。
処理ユニット７３０は更に、ゲートウェイ装置が、制御サーバがユーザ機器に対するアクセス制御の実行に失敗したという決定結果に従って、ユーザ機器がネットワークへのアクセスの要求に失敗したと決定するように構成される。
送信ユニット７２０は更に、アクセスネットワーク装置を用いて、ユーザ機器にアクセス応答情報を送信するように構成される。アクセス応答情報は、ユーザ機器がネットワークへのアクセスの要求に成功したことを示す。
【０１４０】
図８は、本発明の実施形態に係るアクセスネットワーク装置の概略構造図である。図８に示されるように、アクセスネットワーク装置８００は、
【０１４１】
ユーザ機器によって送信されたアクセス要求情報を受信するように構成される受信ユニット８１０であって、アクセス要求情報はネットワークへのアクセスを要求するために用いられる、受信ユニット８１０と、
アクセス要求情報をゲートウェイ装置に送信するように構成される送信ユニット８２０であって、それによりゲートウェイ装置は、アクセス要求情報に従って、制御サーバにユーザ機器に対するアクセス制御の実行を要求できる、送信ユニット８２０と、
を備える。
受信ユニット８１０は更に、ゲートウェイ装置によって送信されたアクセス応答情報を受信するように構成される。アクセス応答情報は、ユーザ機器がネットワークへのアクセスを要求することに成功したことを示すために用いられる。アクセス応答情報は、ゲートウェイ装置が、制御サーバがユーザ機器に対するアクセス制御の実行に失敗し、結果としてユーザ機器がネットワークへのアクセスの要求に失敗したと決定したときに、ゲートウェイ装置によって送信される。
送信ユニット８２０は更に、ユーザ機器にアクセス応答情報を送信するように構成される。
【０１４２】
ネットワークにアクセスするために、ユーザ機器は、アクセスネットワーク装置にアタッチ要求メッセージを送信することにより、ネットワークへのアクセスを要求してよい。アクセス要求情報は、アタッチ要求メッセージで搬送されてよい。
【０１４３】
アクセスネットワーク装置８００の送信ユニット８２０は、メッセージを送信することにより、アクセス要求情報をゲートウェイ装置７００に転送してよい。ゲートウェイ装置７００は、アクセス要求情報に従って、ユーザ機器の送信ベアラを作成する。このプロセスでは、ゲートウェイ装置７００の送信ユニット７２０は、ユーザ機器に対してアクセス制御を実行するように制御サーバに要求する。任意に、アクセス制御は、制御サーバとのセッションを作成するように要求する。セッションを作成するプロセスは、ユーザ機器の登録情報を制御サーバに記憶することと、ユーザ機器の履歴加入情報をゲートウェイ装置７００に返すことと、ユーザ機器に対する各種ポリシー制御ルールに関する情報をゲートウェイ装置７００に返すことと、ユーザ機器のデータネットワークアクセス許可をゲートウェイ機器７００に返すことなどのうち、少なくとも１つであってよい。ゲートウェイ装置７００の送信ユニット７２０が、アクセス要求情報に従って、ユーザ機器に対してアクセス制御を実行することを制御サーバに要求することは、制御サーバにセッション作成要求情報を送信することであってよい。セッション作成要求情報は、ゲートウェイ装置７００の送信ユニット７２０によりＯＣＳ又はＰＣＲＦエンティティに送信されるクレジット制御要求初期メッセージで搬送されてよく、ゲートウェイ装置７００の送信ユニット７２０によりＡＡＡサーバに送信される認証要求メッセージ又は課金開始要求メッセージで搬送されてもよい。
【０１４４】
任意に、制御サーバが障害又はオーバーロードに遭遇すると、制御サーバは、ユーザ機器に対するアクセス制御の実行に失敗する。
【０１４５】
任意に、ゲートウェイ装置７００の処理ユニット７３０が、制御サーバがオーバーロードに遭遇したことを確認するステップは、
ゲートウェイ装置７００の処理ユニット７３０が、ゲートウェイ装置７００の送信ユニット７２０が制御サーバによって送信されたセッション作成応答情報を受信したことを確認するステップであって、セッション作成応答情報は、制御サーバがオーバーロード状態であり、ユーザ機器に対するアクセス制御の実行を拒否したことを示すために用いられる、ステップ、を含む。例えば、制御サーバがＰＣＲＦエンティティであるとき、セッション作成応答情報は、ＰＣＲＦエンティティによってゲートウェイ装置７００に送信されるクレジット制御応答メッセージで搬送されてよい。
【０１４６】
任意に、ゲートウェイ装置７００の処理ユニット７３０が、制御サーバが障害に遭遇したことを確認するステップは、
ゲートウェイ装置７００の処理ユニット７３０が、ゲートウェイ装置７００の受信ユニット７１０がセッション作成要求情報の送信後の予め設定された時間内に制御サーバの応答情報を受信しなかったことを確認するステップ、
を含む。
【０１４７】
従来技術では、制御サーバがユーザ機器に対してアクセス制御を行うことができず、結果的にユーザ機器がネットワークへのアクセスに失敗した場合、ゲートウェイ装置７００の送信ユニット７２０は、ユーザ機器に、ユーザ機器がネットワークへのアクセスの要求に失敗したことを示すアクセス応答情報を送信する。これに対して、本発明の実施形態で提供される技術的解決策では、ユーザ機器がアタッチ障害を理由にアタッチ手順を開始することにより、ネットワークへのアクセスを繰り返し試みて、ネットワーク輻輳を引き起こすことを防止するために、ユーザ機器がネットワークへのアクセスに失敗したことに関わらず、ゲートウェイ装置７００の送信ユニット７２０は、アクセスネットワーク装置を用いて、ユーザ機器がネットワークへのアクセスを要求することに成功したことを示すアクセス応答情報を依然としてユーザ機器に送信する。この場合、ユーザ機器は実際にネットワークに接続されていない。
【０１４８】
任意に、ゲートウェイ装置７００の処理ユニット７３０は、偽起動されたユーザ機器をマークしてよい。
【０１４９】
本発明の本実施形態で提供されるゲートウェイ装置及びアクセスネットワーク装置により、ユーザ機器がネットワークへのアクセスの要求に失敗したとき、ゲートウェイ装置は、ユーザ機器がネットワークへのアクセスを要求することに成功したことを示すアクセス応答情報を依然として送信する。このような機能により、ユーザ機器ネットワークへのアクセスに失敗したことを理由に、ユーザ機器がネットワークのアクセスを繰り返し試みることが防止される。よって、結果として生じるネットワークシグナリングストームが効果的に解決され、ネットワーク輻輳が更に緩和される。
【０１５０】
任意に、ゲートウェイ装置７００の処理ユニット７３０は更に、制御サーバの障害が修正され、又はゲートウェイ装置のオーバーロードが解消されたことを確認するように構成される。ゲートウェイ装置７００の処理ユニット７３０は更、ユーザ機器に対してアクセス制御を実行するように制御サーバをトリガするように構成される。
【０１５１】
任意に、異なるユーザ機器が、その後、ネットワークへのアクセスを要求してよい。この場合、ゲートウェイ装置７００は制御サーバと再度インタラクトしてよい。すなわち、制御サーバは、その後にネットワークへのアクセスを要求するユーザ機器に対してアクセス制御を実行するように要求される。後続のユーザ機器がネットワークに正常に接続することができた場合、ゲートウェイ装置７００の処理ユニット７３０は、制御サーバの障害が修正され、又はゲートウェイ装置のオーバーロードが解消されたことを確認してよい。
【０１５２】
任意に、ゲートウェイ装置７００の送信ユニット７２０は、リンク確立パケットを制御サーバに定期的に送信して、制御サーバの障害が修正され、又はゲートウェイ装置のオーバーロードが解消されたかを検出することができる。オーバーロードの解消又は障害の除去に関する情報であって、制御サーバからの応答メッセージに含まれる情報に基づいて、ゲートウェイ装置７００の処理ユニット７３０は、制御サーバの障害が修正され、又はゲートウェイ装置のオーバーロードが解消されたことを確認してよい。
【０１５３】
任意に、ゲートウェイ装置７００の処理ユニット７３０が、ユーザ機器に対してアクセス制御を実行するように制御サーバをトリガする具体的な実施方式は、アクセスネットワーク装置を用いてユーザ機器に無効化ベアラ要求情報を送信するように送信ユニット７２０を制御すること、又は、ユーザ機器に対してアクセス制御を実行するように制御サーバに再要求するように送信ユニット７２０を制御することであってよい。
【０１５４】
無効化ベアラ要求情報がアクセスネットワーク装置８００を用いてユーザ機器に送信されるとき、アクセスネットワーク装置８００の受信ユニット８１０は更に、ゲートウェイ装置によって送信された無効化ベアラ要求情報を受信するように構成され、アクセスネットワーク装置８００の送信ユニット８２０は更に、ユーザ機器に無効化ベアラ要求情報を送信するように構成される。
【０１５５】
無効化ベアラ要求情報は、削除ベアラ要求メッセージで搬送されてよい。
【０１５６】
制御サーバがユーザ機器に対するアクセス制御の実行に成功した場合、ゲートウェイ装置７００の送信ユニット７２０は、ユーザ機器に、アクセスネットワーク装置８００を用いて、ユーザ機器がネットワークへのアクセスに成功したことを示す情報を送信してもよい。この場合、アクセスネットワーク装置８００の受信ユニット８１０は更に、ゲートウェイ装置によって送信され且つユーザ機器がネットワークへのアクセスに成功したことを示す情報を受信するように構成され、アクセスネットワーク装置８００の送信ユニット８２０は更に、ユーザ機器に、ユーザ機器がネットワークへのアクセスに成功したことを示す情報を送信するように構成される。
【０１５７】
任意に、ゲートウェイ装置７００の処理ユニット７３０は更に、ユーザ機器によって送信されたハートビートパケットのデータトラフィック、又はユーザ機器によって送信されたデータコンテンツを検出するように構成される。ゲートウェイ装置７００の処理ユニット７３０が、制御サーバがオーバーロードに遭遇し、結果としてユーザ機器に対するアクセス制御の実行に失敗したことを確認し、且つ、ユーザ機器によって送信されたハートビートパケットの検出されたデータトラフィックがデータトラフィック閾値よりも大きいこと、又はユーザ機器によって送信された検出されたデータコンテンツが予め設定されたデータコンテンツであることを満たすとき、ゲートウェイ装置７００の処理ユニット７３０は、ユーザ機器に対してアクセス制御を実行するように制御サーバをトリガしてもよい。
【０１５８】
ユーザ機器によって累積的に送信されたハートビートパケットのデータトラフィックが特定の量に達する（例えば、予め設定された閾値を超える）と、それは、ユーザ機器がある期間、データの送信を要求していることを示す。オーバーロード状態にあるとき、制御サーバは依然として適切なサービス要求を受信してよい。この場合、制御サーバは、ユーザ機器がネットワークへのアクセスに成功するように、ユーザ機器に対して優先的にアクセス制御を実行してよく、それによりユーザ機器がデータを送信することができる。したがって、ゲートウェイ装置７００は、能動的に、制御サーバにユーザ機器に対してアクセス制御を実行するように再要求してよい。
【０１５９】
ゲートウェイ装置７００の処理ユニット７３０が、ユーザ機器によって送信されたサービスデータコンテンツが、予め設定されたサービスデータコンテンツ範囲に包含されることを検出するとき。例えば、ユーザ機器はビデオへのアクセスを要求し、ビデオアクセスは予め設定された許可されたサービスである。オーバーロード状態にあるとき、制御サーバは依然として適切な要求を受信することができる。この場合、ゲートウェイ装置７００は能動的に、ユーザ機器が正常にネットワークにアクセスしてビデオにアクセスするように、制御サーバにユーザ機器に対してアクセス制御を実行するように再要求してよい。
【０１６０】
本発明の本実施形態で提供されるゲートウェイ装置及びアクセスネットワーク装置により、ユーザ機器がネットワークにアクセスできる場合、ユーザ機器はネットワークに正常にアクセスするように適時に支援される。それにより、ユーザ機器のネットワークアクセスへの影響が低減され、解決策の柔軟性が向上する。
【０１６１】
任意に、ゲートウェイ装置７００の受信ユニット７１０は更に、ユーザ機器によりアクセスネットワーク装置８００の送信ユニット８２０を用いて送信された更新要求情報を受信するように構成される。更新要求情報は、ユーザ機器に、更新手順を開始してベアラの変更を要求するように指示するために用いられる。ゲートウェイ装置７００の送信ユニット７２０は更に、ユーザ機器に、アクセスネットワーク装置８００を用いて、更新応答情報を送信するように構成される。更新応答情報は、ユーザ機器がベアラの変更を要求することに成功したことを示すために用いられる。
【０１６２】
ゲートウェイ装置７００の受信ユニット７１０は更に、ユーザ機器によりアクセスネットワーク装置８００の送信ユニット８２０を用いて送信されたオフライン要求情報を受信するように構成される。オフライン要求情報は、ユーザ機器にネットワークからの退出を要求するように指示するために用いられる。ゲートウェイ装置７００の送信ユニット７２０は更に、アクセスネットワーク装置８００を用いて、ユーザ機器にオフライン応答情報を送信するように構成される。オフライン応答情報は、ユーザ機器がネットワークからの退出を要求することに成功したことを示すために用いられる。
【０１６３】
ユーザ機器は、ユーザ機器がネットワークへのアクセスに成功したとみなす。いくつかのステータスを更新しようとするとき、ユーザ機器は更新手順を開始する。この場合、そのような更新要求の通常の処理は、ユーザ機器がネットワークに接続されていないことをユーザ機器が更新失敗から知ることを防止するために、シミュレートされる必要がある。ネットワークから退出しようとするとき、ユーザ機器はオフライン要求情報を送信する。この場合、情報は正常に処理される必要があり、ユーザ機器がネットワークからの退出を要求することに成功したことを示す情報がユーザ機器に返される。
【０１６４】
任意に、本発明の本実施形態におけるゲートウェイ装置７００及びアクセスネットワーク装置８００の全ての機能は、プロセッサと送受信器を一緒に用いることによって実現される。
【０１６５】
本発明の本実施形態で提供されるゲートウェイ装置及びアクセスネットワーク装置により、ユーザ機器の更新要求及びオフライン要求を通常の手順に従って処理することができる。技術的解決策の柔軟性が反映される。特に、ユーザ機器が更新手順を開始するときに実行される動作により、ユーザ機器が、該ユーザ機器がネットワークに接続していないことを更新障害から知ることが妨げられる。その結果、ユーザ機器はアタッチ手順を再び開始する。結果として、シグナリングトラフィックが増加し、ネットワークの輻輳が引き起こされてしまう。
【０１６６】
図９は、本発明の実施形態に係る別のゲートウェイ装置の概略構造図である。図９に示されるように、装置９００は、プロセッサ９１０、メモリ９２０、通信インタフェース９３０及びバス９４０を含み、メモリ９２０は実行可能命令を格納する。装置が動作するとき、プロセッサ９１０は、バス９３０を用いてメモリ９２０と通信する。プロセッサ９１０は、通信インタフェース９３０を用いて情報を受信し、メモリ９２０に格納されたコンピュータ命令に従って、図１〜図６に示される方法実施形態に開示された方法のステップを実行する。
【０１６７】
上記のプロセッサ９１０は、汎用プロセッサ、デジタル信号プロセッサ（ＤＳＰ）、特定用途向け集積回路（ＡＳＩＣ）、フィールドプログラマブルゲートアレイ（ＦＰＧＡ）、或いは別のプログラマブル論理デバイス、ディスクリートゲート又はトランジスタ論理デバイス、或いは個別のハードウェアコンポーネントであってよい。汎用プロセッサはマイクロプロセッサであってもよいし、プロセッサは任意の従来のプロセッサなどであってもよい。ゲートウェイ装置９００は、本発明の実施形態に開示されるゲートウェイ装置に関連する方法、ステップ及び論理ブロック図を実現又は実行することもできる。本発明の実施形態を参照して開示された方法のステップは、ハードウェア復号化プロセッサによって直接実行及び完了されてもよいし、復号化プロセッサ内のハードウェア及びソフトウェアモジュールの組合わせを用いて実行及び完了されてもよい。コンピュータ命令は、ランダムメモリ、フラッシュメモリ、読出し専用メモリ、プログラマブル読出し専用メモリ、電気的消去可能プログラマブルメモリ、レジスタなどの、本技術分野における成熟した記憶媒体に格納されてよい。記憶媒体は、メモリ９２０に配置される。プロセッサ９１０は、メモリ９２０内の情報を読み取って、プロセッサ９１０のハードウェアを用いて実施形態における方法のステップを完了する。
【０１６８】
図１０は、本発明に係る、別のアクセスネットワーク装置の概略構造図である。図１０に示されるように、装置１０００は、プロセッサ１０１０、メモリ１０２０、通信インタフェース１０３０及びバス１０４０を含み、メモリ１０２０は実行可能命令を格納する。装置が動作するとき、プロセッサ１０１０は、バス１０３０を用いてメモリ１０２０と通信する。プロセッサ１０１０は、通信インタフェース１０３０を用いて情報を受信し、メモリ１０２０に格納されたコンピュータ命令に従って、図１〜図６に示される方法実施形態に開示された方法のステップを実行する。
【０１６９】
上記のプロセッサ１０１０は、汎用プロセッサ、デジタル信号プロセッサ（ＤＳＰ）、特定用途向け集積回路（ＡＳＩＣ）、フィールドプログラマブルゲートアレイ（ＦＰＧＡ）、或いは別のプログラマブル論理デバイス、ディスクリートゲート又はトランジスタ論理デバイス、或いは個別のハードウェアコンポーネントであってよい。汎用プロセッサはマイクロプロセッサであってもよいし、プロセッサは任意の従来のプロセッサなどであってもよい。アクセスネットワーク装置１０００は、本発明の実施形態に開示されるアクセスネットワーク装置に関連する方法、ステップ及び論理ブロック図を実現又は実行することもできる。本発明の実施形態を参照して開示された方法のステップは、ハードウェア復号化プロセッサによって直接実行及び完了されてもよいし、復号化プロセッサ内のハードウェア及びソフトウェアモジュールの組合わせを用いて実行及び完了されてもよい。コンピュータ命令は、ランダムメモリ、フラッシュメモリ、読出し専用メモリ、プログラマブル読出し専用メモリ、電気的消去可能プログラマブルメモリ、レジスタなどの、本技術分野における成熟した記憶媒体に格納されてよい。記憶媒体は、メモリ１０２０に配置される。プロセッサ１０１０は、メモリ１０２０内の情報を読み取って、プロセッサ１０１０のハードウェアを用いて実施形態における方法のステップを完了する。
【０１７０】
当業者であれば、上述した実施形態の全てのプロセスを理解し、実施することができる。これらのプロセスは全て、コンピュータプログラム命令及び関連ハードウェアを一緒に用いることによって実施することができる。
【０１７１】
上記の実施形態における適用シナリオなどの仕様は、本発明の具体的な技術的解決策を説明するためのものに過ぎず、本発明の限定ではない。すなわち、上記の実施形態に記録された技術的解決策に修正を加えることができ、又はその中の技術的特徴に同等の置換えを行うことができ、これらの修正及び置換えに関わらず、それによって得られる技術的解決策は依然として本発明の保護範囲に包含されるものとする。
【図１】
0006499295.tif 000002
【図２】
0006499295.tif 000003
【図３】
0006499295.tif 000004
【図４】
0006499295.tif 000005
【図５】
0006499295.tif 000006
【図６】
0006499295.tif 000007
【図７】
0006499295.tif 000008
【図８】
0006499295.tif 000009
【図９】
0006499295.tif 000010
【図１０】
0006499295.tif 000011